(57)【要約】【課題】消費電力を抑えることが可能な映像表示装置、シャッタ眼鏡、映像表示システム、および通信方法を得る。【解決手段】シャッタ眼鏡は、映像表示装置に所定の表示周期で表示される映像を制御情報に基づく開閉動作により透過または遮断するシャッタと、クロックカウンタ２６１と、前記映像表示装置の内蔵クロックカウンタの値に基づく送信時刻カウント値を前記映像表示装置から受信したときの前記クロックカウンタの値を受信時刻カウント値として取得する受信部（ＲＦ通信部２３４、受信側カウント値ラッチ回路２６２、受信側カウント値保持部４６４ａ，４６４ｂ、カウント値取得部２６３、および送信側カウント値保持部４６５ａ，４６５ｂ）と、前記送信時刻カウント値および前記受信時刻カウント値に基づいて、前記受信部が前記映像表示装置から前記制御情報を受信するための間欠的な受信タイムスロットを設定する制御部（電源制御部４４３）とを備える。【選択図】図７
2011139414.tif 000002
【特許請求の範囲】
【請求項１】
映像を所定の表示周期で時分割表示する表示部と、
クロックカウンタと、
間欠的な受信タイムスロットにおいて受信した制御情報に基づく開閉動作により前記表示部の表示映像を透過または遮断するシャッタ眼鏡に対して、前記受信タイムスロットの設定に用いられる、前記クロックカウンタの値に基づく送信時刻カウント値を送信する送信部と
を備えた映像表示装置。
【請求項２】
前記制御情報は、前記シャッタ眼鏡の開閉タイミングを指示するための、前記クロックカウンタの値に基づく開閉タイミング値を含む
請求項１に記載の映像表示装置。
【請求項３】
前記送信部は、前記開閉タイミング値を、前記送信時刻カウント値とともに送信する
請求項２に記載の映像表示装置。
【請求項４】
前記送信部は、前記シャッタ眼鏡からの要求に基づいて、前記送信時刻カウント値を前記シャッタ眼鏡に送信する
請求項１に記載の映像表示装置。
【請求項５】
前記送信部は、前記表示周期よりも長い周期で前記開閉タイミング値を送信する
請求項２に記載の映像表示装置。
【請求項６】
映像表示装置に所定の表示周期で表示される映像を制御情報に基づく開閉動作により透過または遮断するシャッタと、
クロックカウンタと、
前記映像表示装置の内蔵クロックカウンタの値に基づく送信時刻カウント値を前記映像表示装置から受信したときの前記クロックカウンタの値を受信時刻カウント値として取得する受信部と、
前記送信時刻カウント値および前記受信時刻カウント値に基づいて、前記受信部が前記映像表示装置から前記制御情報を受信するための間欠的な受信タイムスロットを設定する制御部と
を備えたシャッタ眼鏡。
【請求項７】
前記制御情報は、前記シャッタ眼鏡の開閉タイミングを指示するための、前記映像表示装置の内蔵クロックカウンタの値に基づく第１の開閉タイミング値を含む
請求項６に記載のシャッタ眼鏡。
【請求項８】
前記受信部は、前記映像表示装置から、前記第１の開閉タイミング値を、前記送信時刻カウント値とともに受信する
請求項７に記載のシャッタ眼鏡。
【請求項９】
さらに、前記送信時刻カウント値および前記受信時刻カウント値に基づいて、前記受信部が受信した前記第１の開閉タイミング値を、前記クロックカウンタの値に基づく第２の開閉タイミング値に変換する開閉タイミング演算部を備え、
前記シャッタは、前記第２の開閉タイミング値に基づいて開閉動作を行う
請求項８に記載のシャッタ眼鏡。
【請求項１０】
前記受信部は、いつでも受信が可能な連続受信モードでも動作可能であり、前記連続受信モードにおいて前記受信部が所定の回数連続して前記送信時刻カウント値を受信した場合に、前記間欠的な受信タイムスロットにおいて受信動作を行う間欠受信モードに移行する
請求項９記載のシャッタ眼鏡。
【請求項１１】
前記受信部は、前記間欠受信モードにおいて所定の回数連続して受信できなかった場合に、前記連続受信モードに移行する
請求項１０に記載のシャッタ眼鏡。
【請求項１２】
前記制御部は、前記受信部が前記映像表示装置から前記送信時刻カウント値を２回以上受信した後に、前記送信時刻カウント値および前記受信時刻カウント値に基づいて前記映像表示装置からの次回の送信タイミングを求めて前記受信タイムスロットを設定する
請求項６に記載のシャッタ眼鏡。
【請求項１３】
前記受信部は、所定の受信回数ごとに受信した前記送信時刻カウント値およびそれに対応する受信時刻カウント値を、最後に受信した前記送信時刻カウント値およびそれに対応する受信時刻カウント値とあわせて複数回分保持し、
前記制御部は、前記受信部が保持している前記複数回分の前記送信時刻カウント値および前記受信時刻カウント値のうち、最初と最後の受信に対応する前記送信時刻カウント値および前記受信時刻カウント値を用いて、前記映像表示装置からの次回の送信タイミングを求めて前記受信タイムスロットを設定する
請求項１２に記載のシャッタ眼鏡。
【請求項１４】
前記送信時刻カウント値および受信時刻カウント値を保持する回数は３回である
請求項１３に記載のシャッタ眼鏡。
【請求項１５】
さらに、
前記送信時刻カウント値と前記受信時刻カウント値とに基づいて、自らのクロック周波数が前記映像表示装置のクロック周波数と一致するように処理する周波数同期処理部と、
前記クロックカウンタの値を前記映像表示装置の内蔵クロックカウンタの値に一致させるカウンタ設定部と
を備えた
請求項７に記載のシャッタ眼鏡。
【請求項１６】
さらに、前記映像表示装置との間のクロック周波数の同期を前記映像表示装置に対して要求する同期要求部を備え、
前記周波数同期処理部は、前記同期要求部からの要求に基づいて前記映像表示装置が送信する前記送信時刻カウント値と、その送信時刻カウント値に対応する前記受信時刻カウント値に基づいて処理を行う
請求項１５に記載のシャッタ眼鏡。
【請求項１７】
前記受信部は、前記クロックカウンタの値と前記映像表示装置の内蔵クロックカウンタの値とが一致していない間は、いつでも受信が可能な連続受信モードで動作する
請求項１６に記載のシャッタ眼鏡。
【請求項１８】
前記カウンタ設定部は、前記受信部が前記映像表示装置から前記第１の開閉タイミング値を所定の回数連続して受信できなかった場合、前記映像表示装置に対して前記第１の開閉タイミング値の送信を要求する
請求項１５に記載のシャッタ眼鏡。
【請求項１９】
前記同期要求部は、前記カウンタ設定部が所定の回数連続して要求しても前記映像表示装置から前記第１の開閉タイミング値を受信できなかった場合、前記映像表示装置に対してクロック周波数の同期を再要求する
請求項１８に記載のシャッタ眼鏡。
【請求項２０】
前記受信部は、前記映像表示装置から、前記シャッタの開放時間を指示するための、前記映像表示装置の内蔵クロックカウンタの値に基づく開放時間値を、前記第１の開閉タイミング値とともに受信する
請求項７に記載のシャッタ眼鏡。
【請求項２１】
前記受信部は、前記表示周期よりも長い周期で前記第１の開閉タイミング値を受信する
請求項７に記載のシャッタ眼鏡。
【請求項２２】
前記受信部は、無線通信により前記映像表示装置から前記第１の開閉タイミング値を受信する
請求項６に記載のシャッタ眼鏡。
【請求項２３】
前記無線通信はＩＥＥＥ８０２．１５．４の規格に準拠するものである
請求項２２に記載のシャッタ眼鏡。
【請求項２４】
映像を表示する映像表示装置と、
シャッタ眼鏡と
を備え、
前記映像表示装置は、
映像を所定の表示周期で時分割表示する表示部と、
第１のクロックカウンタと、
間欠的な受信タイムスロットにおいて受信した制御情報に基づく開閉動作により前記表示部の表示映像を透過または遮断する前記シャッタ眼鏡に対して、前記受信タイムスロットの設定に用いられる、前記クロックカウンタの値に基づく送信時刻カウント値を送信する送信部と
を有し、
前記シャッタ眼鏡は、
前記映像表示装置に所定の表示周期で表示される映像を制御情報に基づく開閉動作により透過または遮断するシャッタと、
第２のクロックカウンタと、
前記映像表示装置の第１のクロックカウンタの値に基づく送信時刻カウント値を前記映像表示装置から受信したときの前記第２のクロックカウンタの値を受信時刻カウント値として取得する受信部と、
前記送信時刻カウント値および前記受信時刻カウント値に基づいて、前記受信部が前記映像表示装置から前記制御情報を受信するための間欠的な前記受信タイムスロットを設定する制御部と
を有する映像表示システム。
【請求項２５】
映像を表示する映像表示装置が、クロックカウンタの値に基づく送信時刻カウント値を送信し、
間欠的な受信タイムスロットにおいて受信した制御情報に基づく開閉動作により前記映像表示装置の表示映像を透過または遮断するシャッタ眼鏡が、前記映像表示装置から前記送信時刻カウント値を受信したときの自らのクロックカウンタの値を受信時刻カウント値として取得し、前記送信時刻カウント値および前記受信時刻カウント値に基づいて、前記受信部が前記映像表示装置から前記制御情報を受信するための間欠的な前記受信タイムスロットを設定する
通信方法。
【発明の詳細な説明】
【技術分野】
【０００１】
本発明は、シャッタ眼鏡を用いた映像表示システム、およびこのようなシステムに好適に用いられる映像表示装置、シャッタ眼鏡、並びに通信方法に関する。
【背景技術】
【０００２】
時分割駆動方式による映像表示装置は、複数の映像ストリームを時分割的に順次切り換えて出力する映像表示装置である。このような時分割駆動方式を用いた映像表示装置としては、いわゆるシャッタ眼鏡を用いた時分割立体映像表示システム（例えば、特許文献１〜３参照）や、シャッタ眼鏡を用いて複数の観察者が画面を分割することなく異なる映像を観察するマルチ映像表示システム等が挙げられる。
【０００３】
時分割立体映像表示システムは、左眼用映像及び右眼用映像を非常に短い周期で画面全体に交互に表示すると同時に、左眼用映像及び右眼用映像の表示周期に同期して左眼及び右眼に映像を分離して提供する立体映像表示装置を用いた映像表示システムである。例えば、シャッタ眼鏡方式は、左眼用映像が表示される間はシャッタ眼鏡の左眼部が光を透過させ、右眼部が遮光する。また、右眼用映像が表示される間はシャッタ眼鏡の右眼部が光を透過させ、左眼部が遮光する。
【０００４】
立体映像信号の方式として、ＨＤＭＩ１．４規格において、Ｆｒａｍｅ Ｐａｃｋｉｎｇ、Ｓｉｄｅ ｂｙ Ｓｉｄｅなどが策定されている。これらの方式は、左眼用映像及び右眼用映像の情報を含む信号を、主に２４Ｈｚ、５０Ｈｚ、６０Ｈｚの周波数で入出力する。時分割方式の場合、上記の２４Ｈｚ、５０Ｈｚ、６０Ｈｚの信号に対して、立体映像表示装置は、それぞれ、９６Ｈｚ、１００Ｈｚ、１２０Ｈｚで左眼用映像及び右眼用映像の時分割表示を行い、シャッタ眼鏡は、それぞれ、４８Ｈｚ、５０Ｈｚ、６０Ｈｚの開閉周波数で液晶シャッタの開閉動作を実行する。
【０００５】
このように、時分割立体映像表示システムは、左眼用映像及び右眼用映像の表示周期に同期して左眼及び右眼に映像を分離して提供する必要があり、映像表示装置からシャッタ眼鏡のシャッタの開閉タイミングを通知する必要がある。
【先行技術文献】
【特許文献】
【０００６】
【特許文献１】特開平９−１３８３８４号公報
【特許文献２】特開２０００−３６９６９号公報
【特許文献３】特開２００３−４５３４３号公報
【発明の概要】
【発明が解決しようとする課題】
【０００７】
映像表示装置とシャッタ眼鏡との間でシャッタの開閉タイミングなどの情報を送受信する際、一般に、実際に送受信を行う時間以外にも送受信回路を動作させておく必要がある。このことは、しばしば映像表示装置やシャッタ眼鏡の消費電力の増加を招いてしまう。
【０００８】
具体的には、例えば、映像表示装置からシャッタ眼鏡のシャッタの開閉タイミングを通知する手法としては、赤外線通信や無線通信による方法が考えられる。無線通信の具体的手法としては、映像表示装置を遠隔制御するリモートコントローラと映像表示装置との間の無線通信に用いられている規格、例えばＩＥＥＥ８０２．１５．４を用いる方法がある。しかし、単にシャッタ眼鏡のシャッタの開閉タイミングを無線通信により常時伝達した場合には、上述したように、消費電力の増加を招いてしまうという問題があった。
【０００９】
本発明はかかる問題点に鑑みてなされたもので、その目的は、消費電力を抑えることが可能な映像表示装置、シャッタ眼鏡、映像表示システム、および通信方法を提供することにある。
【課題を解決するための手段】
【００１０】
本発明の映像表示装置は、表示部と、クロックカウンタと、送信部とを備えている。表示部は、映像を所定の表示周期で時分割表示するものである。送信部は、間欠的な受信タイムスロットにおいて受信した制御情報に基づく開閉動作により表示部の表示映像を透過または遮断するシャッタ眼鏡に対して、受信タイムスロットの設定に用いられる、クロックカウンタの値に基づく送信時刻カウント値を送信するものである。
【００１１】
本発明のシャッタ眼鏡は、シャッタと、クロックカウンタと、受信部と、制御部とを備えている。シャッタは、映像表示装置に所定の表示周期で表示される映像を制御情報に基づく開閉動作により透過または遮断するものである。受信部は、映像表示装置の内蔵クロックカウンタの値に基づく送信時刻カウント値を映像表示装置から受信したときのクロックカウンタの値を受信時刻カウント値として取得するものである。制御部は、送信時刻カウント値および受信時刻カウント値に基づいて、受信部が映像表示装置から制御情報を受信するための間欠的な受信タイムスロットを設定するものである。
【００１２】
本発明の映像表示システムは、上記した本発明の映像表示装置および本発明のシャッタ眼鏡を備えたものである。
【００１３】
本発明の通信方法は、映像を表示する映像表示装置が、クロックカウンタの値に基づく送信時刻カウント値を送信し、間欠的な受信タイムスロットにおいて受信した制御情報に基づく開閉動作により映像表示装置の表示映像を透過または遮断するシャッタ眼鏡が、映像表示装置から送信時刻カウント値を受信したときの自らのクロックカウンタの値を受信時刻カウント値として取得し、送信時刻カウント値および受信時刻カウント値に基づいて、受信部が映像表示装置から制御情報を受信するための間欠的な受信タイムスロットを設定するものである。
【００１４】
本発明の映像表示装置、シャッタ眼鏡、映像表示システム、および通信方法では、送信時刻カウント値が、映像表示装置からシャッタ眼鏡に対して送信される。シャッタ眼鏡では、この送信時刻カウント値と、これに対応して取得した受信時刻カウント値とに基づいて、受信タイムスロットが設定される。そして、シャッタ眼鏡は、映像表示装置から送信される制御情報を、その受信タイムスロットにより間欠的に受信し、それ以外の期間では、スリープ状態になるように動作する。
【００１５】
本発明の映像表示装置では、制御情報は、例えば、シャッタ眼鏡の開閉タイミングを指示するための、クロックカウンタの値に基づく開閉タイミング値を含むことが望ましい。この場合、送信部は、例えば、表示周期よりも長い周期で前記開閉タイミング値を送信することが好ましい。
【００１６】
送信部は、例えば、開閉タイミング値を、送信時刻カウント値とともに送信するようにしてもよい。また、例えば、送信部は、シャッタ眼鏡からの要求に基づいて、送信時刻カウント値をシャッタ眼鏡に送信するようにしてもよい。
【００１７】
本発明のシャッタ眼鏡では、制御情報は、例えば、シャッタ眼鏡の開閉タイミングを指示するための、映像表示装置の内蔵クロックカウンタの値に基づく第１の開閉タイミング値を含むことが望ましい。この場合、受信部は、例えば、表示周期よりも長い周期で第１の開閉タイミング値を受信することが好ましい。
【００１８】
受信部は、例えば、映像表示装置から、第１の開閉タイミング値を、送信時刻カウント値とともに受信するようにしてもよい。この場合、例えば、さらに、送信時刻カウント値および受信時刻カウント値に基づいて、受信部が受信した第１の開閉タイミング値を、クロックカウンタの値に基づく第２の開閉タイミング値に変換する開閉タイミング演算部を備え、シャッタが、第２の開閉タイミング値に基づいて開閉動作を行うようにしてもよい。受信部は、例えば、いつでも受信が可能な連続受信モードでも動作可能であり、連続受信モードにおいて受信部が所定の回数連続して送信時刻カウント値を受信した場合に、間欠的な受信タイムスロットにおいて受信動作を行う間欠受信モードに移行するようにしてもよい。また、受信部は、例えば、間欠受信モードにおいて所定の回数連続して受信できなかった場合に、連続受信モードに移行するようにしてもよい。
【００１９】
制御部は、例えば、受信部が映像表示装置から送信時刻カウント値を２回以上受信した後に、送信時刻カウント値および受信時刻カウント値に基づいて映像表示装置からの次回の送信タイミングを求めて受信タイムスロットを設定するようにしてもよい。受信部は、例えば、所定の受信回数ごとに受信した送信時刻カウント値およびそれに対応する受信時刻カウント値を、最後に受信した前記送信時刻カウント値およびそれに対応する受信時刻カウント値とあわせて複数回分保持し、制御部は、受信部が保持している複数回分の送信時刻カウント値および受信時刻カウント値のうち、最初と最後の受信に対応する送信時刻カウント値および受信時刻カウント値を用いて、映像表示装置からの次回の送信タイミングを求めて受信タイムスロットを設定するようにしてもよい。この場合、送信時刻カウント値および受信時刻カウント値を保持する回数は、例えば３回にすることができる。
【００２０】
本発明のシャッタ眼鏡は、例えば、さらに、送信時刻カウント値と受信時刻カウント値とに基づいて、自らのクロック周波数が映像表示装置のクロック周波数と一致するように処理する周波数同期処理部と、クロックカウンタの値を映像表示装置の内蔵クロックカウンタの値に一致させるカウンタ設定部とを備えてもよい。上記シャッタ眼鏡は、例えば、さらに映像表示装置との間のクロック周波数の同期を映像表示装置に対して要求する同期要求部を備え、周波数同期処理部は、同期要求部からの要求に基づいて映像表示装置が送信する送信時刻カウント値と、その送信時刻カウント値に対応する受信時刻カウント値に基づいて処理を行うようにしてもよい。受信部は、例えば、クロックカウンタの値と映像表示装置の内蔵クロックカウンタの値とが一致していない間は、いつでも受信が可能な連続受信モードで動作するようにしてもよい。
【００２１】
カウンタ設定部は、例えば、受信部が前記映像表示装置から第１の開閉タイミング値を所定の回数連続して受信できなかった場合、映像表示装置に対して第１の開閉タイミング値の送信を要求するようにしてもよい。同期要求部は、例えば、カウンタ設定部が所定の回数連続して要求しても映像表示装置から第１の開閉タイミング値を受信できなかった場合、映像表示装置に対してクロック周波数の同期を再要求するようにしてもよい。
【００２２】
受信部は、例えば、映像表示装置から、シャッタの開放時間を指示するための、映像表示装置の内蔵クロックカウンタの値に基づく開放時間値を、第１の開閉タイミング値とともに受信するようにしてもよい。
【００２３】
受信部は、例えば、無線通信により前記映像表示装置から前記第１の開閉タイミング値を受信するようにしてもよい。上記無線通信は、例えば、ＩＥＥＥ８０２．１５．４の規格に準拠するものが使用可能である。
【発明の効果】
【００２４】
本発明の映像表示装置、シャッタ眼鏡、映像表示システム、および通信方法によれば、シャッタ眼鏡は、映像表示装置から制御情報を受信する際、間欠的な受信タイムスロットを設けるようにしたので、消費電力を抑えることができる。
【図面の簡単な説明】
【００２５】
【図１】本発明の実施の形態に係る映像表示システムの一構成例を表す説明図である。
【図２】第１の実施の形態に係る表示装置の一構成例を表すブロック図である。
【図３】第１の実施の形態に係る映像表示システムに係るシャッタ制御部の一構成例を表すブロック図である。
【図４】第１の実施の形態に係る基準シンク信号を説明するためのタイミング波形図である。
【図５】第１の実施の形態に係るシャッタ制御部の要部の一構成例を表すブロック図である。
【図６】第１の実施の形態に係る映像表示システムの一動作例を示す説明図である。
【図７】第１の実施の形態に係るシャッタ眼鏡の開閉タイミングの一例を示す説明図である。
【図８】第１の実施の形態に係る映像表示システムの一動作例を表す流れ図である。
【図９】第１の実施の形態に係る映像表示システムの一動作例を表すシーケンス図である。
【図１０】第２の実施の形態に係る表示装置のシャッタ制御部の一構成例を表すブロック図である。
【図１１】第２の実施の形態に係るシャッタ眼鏡のシャッタ制御部の一構成例を表すブロック図である。
【図１２】第２の実施の形態に係る定期パケットの一構成例を表す説明図である。
【図１３】図１２に示した同期情報の一構成例を説明するための表および図である。
【図１４】図１２に示した制御情報の一構成例を説明するための表である。
【図１５】図１１に示したシャッタ制御部に係るレジスタの一構成例を表す説明図である。
【図１６】第２の実施の形態に係る映像表示システムの一動作例を表すシーケンス図である。
【図１７】第２の実施の形態に係る映像表示システムの他の動作例を表すシーケンス図である。
【図１８】第２の実施の形態に係る映像表示システムの他の動作例を表すシーケンス図である。
【図１９】第２の実施の形態に係る映像表示システムの一動作例を表す流れ図である。
【図２０】第２の実施の形態に係る定期パケットの送受信を説明するための説明図である。
【図２１】第２の実施の形態に係る映像表示システムの他の動作例を表す流れ図である。
【図２２】第２の実施の形態に係る映像表示システムの他の動作例を表す流れ図である。
【図２３】第２の実施の形態の変形例に係るシャッタ眼鏡のシャッタ制御部の一構成例を表すブロック図である。
【図２４】変形例に係る基準シンク信号を説明するためのタイミング波形図である。
【図２５】他の変形例に係る基準シンク信号を説明するためのタイミング波形図である。
【図２６】変形例に係る映像表示システムの一動作例を表す模式図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
なお、説明は以下の順序で行うものとする。
１．第１の実施の形態
２．第２の実施の形態
【００２８】
＜１．第１の実施の形態＞
［構成例］
（映像表示システムの構成）
以下において、本発明の第１の実施の形態に係る映像表示システムについて説明する。まず、映像表示システムの構成について説明する。図１は、映像表示システム１０の一構成例を表すものである。また、図１には、表示装置１００と、表示装置１００が表示する画像を観察者が立体的な画像として知覚するために用いるシャッタ眼鏡２００も併せて示している。表示装置１００とシャッタ眼鏡２００とで、映像表示システム１０を構成する。
【００２９】
図１に示した表示装置１００は、画像の表示が行われる画像表示部１１０を備えている。表示装置１００は、通常の画像を画像表示部１１０に表示するだけではなく、観察者に立体的な画像として知覚させる三次元画像を画像表示部１１０に表示することが可能な装置である。
【００３０】
画像表示部１１０の構成については詳述するが、ここで簡単に説明すると、画像表示部１１０は、光源、液晶パネル、及び液晶パネルを挟んで設けられる一対の偏光板を含んで構成される。光源からの光は液晶パネル及び一対の偏光板を透過することで所定の方向に偏光された光となる。
【００３１】
シャッタ眼鏡２００は、例えば液晶シャッタからなる右目用画像透過部２１２及び左目用画像透過部２１４を含んで構成されている。シャッタ眼鏡２００は、表示装置１００から送出される信号に応じて、それぞれ液晶シャッタからなる右目用画像透過部２１２及び左目用画像透過部２１４の開閉動作を実行する。右目用画像透過部２１２及び左目用画像透過部２１４の開閉動作はシャッタ制御部２１０（後述）が実行する。観察者は、シャッタ眼鏡２００の右目用画像透過部２１２及び左目用画像透過部２１４を通して、画像表示部１１０から発する光を見ることで、画像表示部１１０に表示される画像を立体的な画像として知覚することが出来る。
【００３２】
一方、通常の画像が画像表示部１１０に表示されている場合は、観察者はそのまま画像表示部１１０から出射される光を見ることで、通常の画像として知覚することができる。
【００３３】
なお、図１では、表示装置１００をテレビ受像機として図示していたが、本発明においては、表示装置の形状はかかる例に限定されないことは言うまでも無い。例えば、本発明の表示装置は、例えば、パーソナルコンピュータその他の電子機器と接続して用いられるモニタであってもよく、携帯型のゲーム機であってもよく、携帯電話や携帯型の音楽再生装置であってもよい。
【００３４】
以上、表示装置１００の外観について説明した。次に、表示装置１００の機能構成について説明する。
【００３５】
（表示装置の機能構成）
図２は、表示装置１００の機能構成を表すものである。以下、図２を用いて表示装置１００の機能構成について説明する。
【００３６】
図２に示したように、表示装置１００は、画像表示部１１０と、映像信号制御部１２０と、シャッタ制御部１３０と、タイミング制御部１４０と、バックライト制御部１５５とを含んで構成される。
【００３７】
画像表示部１１０は、上述したように画像の表示が行われるものであり、外部から信号が印加されると、印加された信号に応じた画像の表示が行われる。画像表示部１１０は、表示パネル１１２と、ゲートドライバ１１３と、データドライバ１１４と、バックライト１１５とを含んで構成される。
【００３８】
表示パネル１１２は、外部からの信号の印加に応じて画像を表示するものである。表示パネル１１２は、複数の走査線に対する順次走査により画像を表示する。表示パネル１１２は、ガラス等の透明板の間に所定の配向状態を有する液晶分子が封入されている。表示パネル１１２の駆動方式は、ＴＮ（Ｔｗｉｓｔｅｄ Ｎｅｍａｔｉｃ）方式であってもよく、ＶＡ（Ｖｉｒｔｉｃａｌ Ａｌｉｇｎｍｅｎｔ）方式であってもよく、ＩＰＳ（Ｉｎ−Ｐｌａｃｅ−Ｓｗｉｔｃｈｉｎｇ）方式であってもよい。以下の説明では、表示パネル１１２の駆動方式は、特に断りが無ければＶＡ方式であるとして説明するが、本発明においてはかかる例に限られないことはいうまでも無い。なお、本実施形態にかかる表示パネル１１２は、高速なフレームレート（例えば１２０Ｈｚや２４０Ｈｚ）で画面の書き換えが可能な表示パネルである。そして、本実施形態では、右目用の画像と左目用の画像を、表示パネル１１２に所定のタイミングで交互に表示させることで、観察者に立体的な画像として知覚させることができる。
【００３９】
ゲートドライバ１１３は、表示パネル１１２のゲートバスライン（図示せず）を駆動するためのドライバである。ゲートドライバ１１３にはタイミング制御部１４０から信号が伝送され、ゲートドライバ１１３はタイミング制御部１４０から伝送された信号に応じてゲートバスラインへ信号を出力する。
【００４０】
データドライバ１１４は、表示パネル１１２のデータ線（図示せず）に印加するための信号を生成するためのドライバである。データドライバ１１４にはタイミング制御部１４０から信号が伝送され、データドライバ１１４はタイミング制御部１４０から伝送された信号に応じてデータ線へ印加する信号を生成して出力する。
【００４１】
バックライト１１５は、観察者側から見て画像表示部１１０の一番奥に設けられるものである。画像表示部１１０に画像を表示する際には、バックライト１１５からは偏光されていない（無偏光の）白色光が観察者側に位置する表示パネル１１２に出射される。バックライト１１５としては、例えば発光ダイオードを用いても良く、冷陰極管を用いてもよい。なお、図２では、バックライト１１５として面光源を示しているが、本発明においては光源の形態はかかる例に限定されない。例えば、表示パネル１１２の周辺部に光源を配置し、当該光源からの光を拡散板等で拡散することで表示パネル１１２に光を出射してもよい。また例えば、面光源の替わりに点光源と集光レンズを組み合わせてもよい。なお、本実施形態では、表示装置１００として液晶により映像を表示する液晶表示装置を挙げているが、本発明はかかる例に限定されない。表示装置として、ＣＲＴ、ＬＥＤ液晶、プラズマ、有機ＥＬ等により映像を表示するものを用いてもよく、また、スクリーンに映像を投影することで映像をスクリーンに表示するものを用いてもよい。
【００４２】
映像信号制御部１２０は、映像信号制御部１２０の外部からの映像信号の伝送を受けると、受け取った映像信号を、画像表示部１１０における三次元画像の表示に適したものとなるように各種信号処理を実行して出力するものである。映像信号制御部１２０で信号処理が施された映像信号はタイミング制御部１４０に伝送される。また、映像信号制御部１２０で信号処理が実行されると、信号処理に応じてシャッタ制御部１３０に所定の信号を伝送する。映像信号制御部１２０における信号処理としては、例えば以下のようなものがある。
【００４３】
映像信号制御部１２０に、右目用の画像を画像表示部１１０に表示するための映像信号（右目用映像信号）と、左目用の画像を画像表示部１１０に表示するための映像信号（左目用映像信号）が伝送されると、映像信号制御部１２０は２つの映像信号から三次元画像のための映像信号を生成する。本実施形態においては、映像信号制御部１２０は、入力される右目用映像信号及び左目用映像信号から、表示パネル１１２に右目用画像→左目用画像→右目用画像→左目用画像→・・・の順で時分割に表示させるための映像信号を生成する。ここで、左目用画像と右目用画像をそれぞれ複数フレームずつ繰り返して表示させる場合もあり、この場合においては、映像信号制御部１２０は、例えば右目用画像→右目用画像→左目用画像→左目用画像→右目用画像→右目用画像→・・・の順に表示させるための映像信号を生成する。
【００４４】
シャッタ制御部１３０は、映像信号制御部１２０における信号処理に基づいて生成される所定の信号の伝送を受け、当該信号に応じてシャッタ眼鏡２００のシャッタ動作を制御するシャッタ制御信号を生成するものである。シャッタ眼鏡２００では、シャッタ制御部１３０で生成され、例えばＩＥＥＥ８０２．１５．４に基づく無線によって発せされるシャッタ制御信号に基づいて、右目用画像透過部２１２及び左目用画像透過部２１４の開閉動作が実行される。バックライト制御部１５５は、映像信号制御部１２０における信号処理に基づいて生成される所定の信号の伝送を受け、当該信号に応じてバックライトの点灯動作を制御するバックライト制御信号を生成するものである。
【００４５】
タイミング制御部１４０は、映像信号制御部１２０から伝送される信号に応じて、ゲートドライバ１１３およびデータドライバ１１４の動作に用いられるパルス信号を生成するものである。タイミング制御部１４０でパルス信号を生成して、ゲートドライバ１１３およびデータドライバ１１４がタイミング制御部１４０で生成されたパルス信号を受けることで、映像信号制御部１２０から伝送される信号に応じた画像が表示パネル１１２に画像が表示される。
【００４６】
以上、図２を用いて表示装置１００の機能構成について説明した。次に、表示装置１００に含まれるシャッタ制御部１３０と、シャッタ眼鏡２００に含まれるシャッタ制御部２１０の構成について説明する。
【００４７】
（シャッタ制御部の機能構成）
図３は、表示装置１００に含まれるシャッタ制御部１３０と、シャッタ眼鏡２００に含まれるシャッタ制御部２１０の一構成例を表すものである。以下、図３を用いてシャッタ制御部１３０，２１０の構成について説明する。
【００４８】
図３に示したように、シャッタ制御部１３０は、発振回路１３１と、カウンタ１３２と、垂直同期ラッチ回路１３３と、ＲＦ通信部１３４とを含んで構成される。またシャッタ制御部２１０は、発振回路２３１と、カウンタ２３２と、シャッタ切替値保持部２３３と、ＲＦ通信部２３４と、比較部２３５と、シャッタ開閉制御部２３６と、送信タイミング保持部２４３と、比較部２４５と、電源制御部２４６とを含んで構成される。
【００４９】
発振回路１３１は、水晶振動子を備えた所定の周波数で発振する回路であり、生成したクロックを基準クロックＣlkとしてカウンタ１３２に供給する。カウンタ１３２は、発振回路１３１が生成した基準クロックＣlkに基づいて値を増加させ、基準カウント値Ｃntとして出力するカウンタである。カウンタ１３２は、シャッタ眼鏡２００の右目用画像透過部２１２及び左目用画像透過部２１４の開閉タイミングの指示に用いるカウンタであり、その値はカウンタ２３２と同一の値を取るように表示装置１００とシャッタ眼鏡２００との間で制御されることになる。また、カウンタ１３２は、後述するように、表示装置１００がシャッタ眼鏡２００に対して情報を送信する際の送信タイミングをシャッタ眼鏡２００に伝える為にも用いられる。
【００５０】
垂直同期ラッチ回路１３３は、シャッタ制御部１３０の外部から供給される垂直同期パルス（基準シンク信号Ｓync）の立ち上がりおよび立ち下がりタイミングにおけるカウンタ１３２の値を保持する回路である。垂直同期ラッチ回路１３３が保持したカウンタ１３２の値はＲＦ通信部１３４からシャッタ眼鏡２００に無線送信され、シャッタ制御部２１０の内部に格納される。また、ＲＦ通信部１３４は、シャッタ制御部２１０のＲＦ通信部２３４との間で、ＩＥＥＥ８０２．１５．４に基づいた無線通信を行うものである。
【００５１】
シャッタ制御部２１０は、表示装置１００に対してクロック周波数の同期要求を送信したり、表示装置１００から無線送信されるパケットを受信してクロック周波数を同期させたり、液晶シャッタの開閉タイミングを制御したりするものである。ＲＦ通信部２３４は、シャッタ制御部１３０のＲＦ通信部１３４との間で、ＩＥＥＥ８０２．１５．４に基づいた無線通信を行うものである。発振回路２３１は、水晶振動子を備えた所定の周波数で発振する回路であり、生成したクロックをサブクロックＳubＣlkとしてカウンタ２３２に供給する。カウンタ２３２は、発振回路２３１が生成したサブクロックＳubＣlkに基づいて値を増加させ、サブカウント値Ｃsubとして出力するカウンタである。カウンタ２３２は、シャッタ眼鏡２００の右目用画像透過部２１２及び左目用画像透過部２１４の開閉を切り替えるために用いるカウンタであり、カウンタ２３２の値とシャッタ切替値保持部２３３が保持する値とを比較部２３５で比較し、両者が一致した場合に、右目用画像透過部２１２や左目用画像透過部２１４を開閉させるようにシャッタ開閉制御部２３６で制御するためのものである。また、カウンタ２３２は、カウンタ２３２の値と送信タイミング保持部２４３が保持する値とを比較部２４５で比較し、両者が一致した場合に、ＲＦ通信部２３４を受信可能にするように制御する為にも用いられる。なお、カウンタ２３２のビット長は、カウンタ１３２のビット長と同一である。
【００５２】
シャッタ切替値保持部２３３は、表示装置１００からＲＦ通信部１３４を介して無線送信される、シャッタ開閉タイミングを指定するカウンタの値の情報を保持するものである。発振回路２３１が生成したクロックによって増加するカウンタ２３２の値が、このシャッタ切替値保持部２３３に格納された値と一致した場合に、シャッタ開閉制御部２３６が、右目用画像透過部２１２や左目用画像透過部２１４を開閉させるように制御を行う。
【００５３】
比較部２３５は、発振回路２３１が生成したクロックによって増加するカウンタ２３２の値と、シャッタ切替値保持部２３３に格納された値とを比較するものである。両者を比較して一致していれば、比較部２３５は、右目用画像透過部２１２や左目用画像透過部２１４を開閉させるようにシャッタ開閉制御部２３６に対して開閉指示（右目用制御信号ＣＴＲＬＲおよび左目用制御信号ＣＴＲＬＬ）を送出すると共に、シャッタ切替値保持部２３３に格納される値を、次の開閉タイミングに設定するために増加させるようにシャッタ切替値保持部２３３に対して指示を行う。増加する値は、予め表示装置１００からシャッタ眼鏡２００に切替周期として送信される。次の開閉タイミングは、表示装置１００からシャッタ眼鏡２００に対し、液晶シャッタの開閉周期や開閉タイミングを後述するパラメータとして送信しておくことで、シャッタ眼鏡２００において計算により求めることが可能である。シャッタ切替値保持部２３３は、計算によって求められた値を保持するとともに、所定の周期でシャッタ制御部１３０から送信されるカウンタ値を用いてタイミングを補正しながら値を保持しておく。そして、液晶シャッタの切替タイミングは、シャッタ切替値保持部２３３が保持しているカウンタの値として比較部２３５に通知される。
【００５４】
シャッタ開閉制御部２３６は、右目用画像透過部２１２や左目用画像透過部２１４を開閉させるものであり、比較部２３５からの開閉指示（右目用制御信号ＣＴＲＬＲおよび左目用制御信号ＣＴＲＬＬ）に基づいて右目用画像透過部２１２や左目用画像透過部２１４を開閉させる。
【００５５】
図４は、基準シンク信号Ｓyncと、右目用制御信号ＣＴＲＬＲおよび左目用制御信号ＣＴＲＬＬとの関係を表すものであり、（Ａ）は基準シンク信号Ｓyncの波形を示し、（Ｂ）は左目用制御信号ＣＴＲＬＬの波形を示し、（Ｃ）は右目用制御信号ＣＴＲＬＲの波形を示す。
【００５６】
基準シンク信号Ｓyncは、図４（Ａ）に示したように矩形状の波形になっている。基準シンク信号Ｓyncのデューティ比は変更できるようになっている。左目用制御信号ＣＴＲＬＬは、基準シンク信号Ｓyncと同じ波形である。すなわち、映像表示システム１０では、表示装置１００における基準シンク信号Ｓyncの立ち上がりおよび立ち下がりタイミングが、シャッタ眼鏡２００における左目用制御信号ＣＴＲＬＬとして再現するように動作する。右目用制御信号ＣＴＲＬＲは、左目用制御信号ＣＴＲＬＬを半周期遅らせた波形になるように、シャッタ開閉制御部２３６において生成される。左目用制御信号ＣＴＲＬＬおよび右目用制御信号ＣＴＲＬＲは、それぞれ左目用画像透過部２１４および右目用画像透過部２１２の状態を指示するものである。すなわち、左目用制御信号ＣＴＲＬＬおよび右目用制御信号ＣＴＲＬＲは、高レベルが透過状態（開状態）を指示し、例レベルが遮断状態（閉状態）を指示するものである。上述した、基準シンク信号Ｓyncのデューティ比は、左目用画像透過部２１４および右目用画像透過部２１２の各透過部における、透過状態と遮断状態の比率（開閉デューティ比）に対応するものである。
【００５７】
送信タイミング保持部２４３は、表示装置１００からＲＦ通信部１３４を介して無線送信される、表示装置１００における送信タイミングを示すカウンタの値（後述する送信側カウント値Ｃtr）の情報を保持するものである。
【００５８】
比較部２４５は、カウンタ２３２の値と送信タイミング保持部２４３に格納された値とを比較するものである。両者を比較して一致していれば、比較部２４５は、ＲＦ通信部２３４を受信可能にするように電源制御部２４６に対して指示を行うとともに、送信タイミング保持部２４３に格納される値を、次の送信タイミングに設定するために増加させるように送信タイミング保持部２４３に対して指示を行う。増加する値は、予め表示装置１００からシャッタ眼鏡２００に送信タイミング周期として送信される。次の送信タイミングは、表示装置１００からシャッタ眼鏡２００に対し、送信タイミング周期や送信タイミング（送信側カウント値Ｃtr）を後述するパラメータとして送信することで、シャッタ眼鏡２００において計算により求めることが可能である。送信タイミング保持部２４３は、計算によって求められた値を保持するとともに、所定の周期でシャッタ制御部１３０から送信されるカウント値（送信側カウント値Ｃtr）を用いてタイミングを補正しながら値を保持しておく。そして、送信タイミングは、送信タイミング保持部２４３が保持しているカウンタの値として比較部２４５に通知される。
【００５９】
電源制御部２４６は、比較部２４５からの指示に基づいて、ＲＦ通信部２３４の状態を、受信可能状態や、低消費電力な休止状態に設定するものである。つまり、電源制御部２４６は、比較部２４５からの指示に基づいて受信タイムスロットを設定し、表示装置１００が送信するタイミングに合わせてＲＦ通信部２３４を受信可能状態とするように制御するものである。なお、電源制御部２４６は、ＲＦ通信部２３４を休止状態に設定する際、常時動作が必要な発振回路２３１やカウンタ２３２などの回路を除き、シャッタ眼鏡２００の動作に支障のない回路についても休止状態にするようにしてもよい。
【００６０】
このようにシャッタ制御部１３０，２１０を構成することにより、表示装置１００からシャッタ眼鏡２００に対して非常に短い間隔で右目用画像透過部２１２や左目用画像透過部２１４の開閉指示を無線送信する必要が無い。すなわち、表示装置１００は、シャッタ眼鏡２００がシャッタの開閉動作をする度にその開閉動作の指示を行わなくても、シャッタ眼鏡２００は、内部で自走するカウンタ２３２の値と、シャッタ切替値保持部２３３で保持した値との比較により右目用画像透過部２１２や左目用画像透過部２１４を開閉制御することができる。つまり、表示装置１００は、シャッタの開閉周期よりも長い周期で、シャッタ眼鏡２００に対して開閉指示の無線送信を行うことができるようになっている。
【００６１】
また、シャッタ眼鏡２００では、表示装置１００からの送信タイミングに合わせて受信タイムスロットを設定し、ＲＦ通信部２３４を受信可能状態とすることができる。これにより、シャッタ眼鏡２００の消費電力を低減することが可能となる。
【００６２】
以上、図３を用いてシャッタ制御部１３０，２１０の構成について説明した。なお、このように表示装置１００から送信するカウンタの値に基づいてシャッタ眼鏡２００の右目用画像透過部２１２や左目用画像透過部２１４を開閉させるためには、シャッタ制御部１３０，２１０のクロック周波数が一致していることが必要である。従って、シャッタ眼鏡２００は、右目用画像透過部２１２や左目用画像透過部２１４の開閉動作を実行する前に、シャッタ制御部１３０，２１０のクロック周波数を一致させる処理を実行する。ここで、シャッタ制御部１３０，２１０のクロック周波数を一致させる処理を実行するための構成について説明する。
【００６３】
図５は、シャッタ制御部１３０，２１０の一構成例を表すものである。図５では、シャッタ制御部１３０，２１０のクロック周波数を一致させる処理を実行するための構成が示されている。以下、図５を用いてシャッタ制御部１３０，２１０の構成について説明する。
【００６４】
図５に示したように、シャッタ制御部１３０は、水晶振動子を備えた発振回路１３１と、ＲＦ通信部１３４と、カウンタ１６１と、カウント値ラッチ回路１６２と、タイミング発生間隔制御部１６３と、送信タイミング発生部１６４と、パケット生成部１６５とを含んで構成される。またシャッタ制御部２１０は、発振回路２３１と、ＲＦ通信部２３４と、カウンタ２６１と、受信側カウント値ラッチ回路２６２と、カウント値取得部２６３と、受信側カウント値保持部２６４ａ，２６４ｂと、送信側カウント値保持部２６５ａ，２６５ｂと、差分取得部２６６ａ，２６６ｂと、クロック周波数制御部２６７とを含んで構成される。
【００６５】
カウンタ１６１は、シャッタ制御部１３０，２１０のクロック周波数を一致させるためのカウンタであり、発振回路１３１で生成された基準クロックＣlkに基づいて値を増加させ基準カウント値Ｃntとして出力するものである。カウント値ラッチ回路１６２は、カウンタ１６１の値を送信側カウント値Ｃtrとしてラッチするものであり、ラッチするタイミングは送信タイミング発生部１６４からのラッチ送信トリガを受け取ったタイミングである。
【００６６】
タイミング発生間隔制御部１６３は、ＲＦ通信部１３４からのパケット送信タイミングの間隔を制御するものである。タイミング発生間隔制御部１６３は、例えば数百ミリ秒間隔で送信タイミング発生部１６４に対してパケットの送信タイミングであることを通知する。シャッタ眼鏡２００からのクロック周波数の同期要求に応じて、タイミング発生間隔制御部１６３は送信タイミング発生部１６４への通知を開始する。
【００６７】
送信タイミング発生部１６４は、パケットの送信タイミングをパケット生成部１６５に通知するものである。タイミング発生間隔制御部１６３からの通知を受けた送信タイミング発生部１６４は、カウント値ラッチ回路１６２に対してラッチ送信トリガを送信すると共に、パケット生成部１６５に対して、カウント値ラッチ回路１６２がラッチしたカウント値（送信側カウント値Ｃtr）の情報が含まれたパケットの生成を指示する。
【００６８】
パケット生成部１６５は、カウント値ラッチ回路１６２がラッチしたカウント値（送信側カウント値Ｃtr）の情報が含まれたパケットを生成するものである。パケット生成部１６５が生成したパケットは、ＲＦ通信部１３４から無線送信される。
【００６９】
以上の構成により、表示装置１００は、タイミング発生間隔制御部１６３が指示するタイミングにおいて、カウント値ラッチ回路１６２がラッチしたカウント値の情報が含まれたパケットを生成し送信するようになっている。すなわち、カウント値ラッチ回路１６２がラッチしたカウント値（送信側カウント値Ｃtr）は、表示装置１００がパケットを送信する時の、表示装置１００における送信時刻として機能するものである。
【００７０】
カウンタ２６１は、シャッタ制御部１３０，２１０のクロック周波数を一致させるためのカウンタであり、発振回路２３１で生成されたサブクロックＳubＣlkに基づいて値を増加させサブカウント値Ｃsubとして出力するものである。受信側カウント値ラッチ回路２６２は、カウンタ２６１の値をラッチするものであり、カウント値ラッチ回路１６２がラッチしたカウント値（送信側カウント値Ｃtr）の情報が含まれたパケットをＲＦ通信部２３４が受信したタイミングで、カウンタ２６１の値をラッチするものである。すなわち、受信側カウント値ラッチ回路２６２がラッチしたカウンタ２６１の値（受信側カウント値Ｃrec）は、シャッタ眼鏡２００がパケットを受信した時の、シャッタ眼鏡２００における受信時刻として機能するものである。受信側カウント値ラッチ回路２６２がラッチしたカウンタ２６１の値は受信側カウント値保持部２６４ａに送られる。そして、受信側カウント値保持部２６４ａに、受信側カウント値ラッチ回路２６２がラッチしたカウンタ２６１の値が送られてきたタイミングで、それまで受信側カウント値保持部２６４ａで保持していた値は受信側カウント値保持部２６４ｂへ送られる。
【００７１】
カウント値取得部２６３は、ＲＦ通信部２３４が受信したパケットに含まれている、カウント値ラッチ回路１６２がラッチしたカウント値の情報を取得するものである。カウント値取得部２６３が取得したカウント値の情報は、送信側カウント値保持部２６５ａに送られる。
【００７２】
受信側カウント値保持部２６４ａ，２６４ｂは、受信側カウント値ラッチ回路２６２がラッチしたカウンタ２６１の値を保持するものである。受信側カウント値保持部２６４ａは、ＲＦ通信部１３４から送信された、カウント値ラッチ回路１６２がラッチしたカウント値の情報が含まれたパケットを受信したタイミングにおける、受信側カウント値ラッチ回路２６２がラッチしたカウンタ２６１の値を保持するものである。また、受信側カウント値保持部２６４ｂは、前回にＲＦ通信部１３４から送信された、カウント値ラッチ回路１６２がラッチしたカウント値の情報が含まれたパケットを受信したタイミングにおける、受信側カウント値ラッチ回路２６２がラッチしたカウンタ２６１の値を保持するものである。
【００７３】
送信側カウント値保持部２６５ａ，２６５ｂは、カウント値取得部２６３が取得した、カウント値ラッチ回路１６２がラッチしたカウント値を保持するものである。送信側カウント値保持部２６５ａは、ＲＦ通信部１３４から送信されたパケットに含まれる、カウント値ラッチ回路１６２がラッチしたカウント値（送信側カウント値Ｃtr）を保持するものである。また送信側カウント値保持部２６５ｂは、前回にＲＦ通信部１３４から送信されたパケットに含まれる、カウント値ラッチ回路１６２がラッチしたカウント値を保持するものである。
【００７４】
差分取得部２６６ａは、受信側カウント値保持部２６４ａ，２６４ｂが保持している値の差分を取得するものである。同様に、差分取得部２６６ｂは、送信側カウント値保持部２６５ａ，２６５ｂが保持している値の差分を取得するものである。差分取得部２６６ａ，２６６ｂが取得した差分同士をクロック周波数制御部２６７で比較することで、発振回路１３１が生成する基準クロックＣlkのクロック周波数と、発振回路２３１が生成するサブクロックＳubＣlkのクロック周波数とのずれをクロック周波数制御部２６７で把握することができる。
【００７５】
クロック周波数制御部２６７は、差分取得部２６６ａ，２６６ｂが取得した差分を比較し、送信側と受信側との間のクロック周波数のずれを把握し、発振回路２３１のクロック周波数を制御するものである。すなわち、例えば、受信側のカウンタ２６１の差分より送信側のカウンタ１６１の差分の方が大きければ、発振回路１３１が生成する基準クロックＣlkのクロック周波数の方が、発振回路２３１が生成するサブクロックＳubＣlkのクロック周波数よりも高いので、クロック周波数制御部２６７は、発振回路１３１のクロック周波数と合うように、高くなる方向に発振回路２３１のクロック周波数を制御する。
【００７６】
このように、シャッタ制御部１３０，２１０を構成することで、発振回路１３１のクロック周波数に、発振回路２３１のクロック周波数を合わせることができる。なお、シャッタ制御部２１０は、クロック周波数制御部２６７による発振回路２３１のクロック周波数の制御処理を複数回連続して実行してもよい。なお、クロック周波数を同期させるためのパケット（クロック周波数同期パケット）は、発振回路１３１のクロック周波数に、発振回路２３１のクロック周波数を合わせた後も、シャッタ制御部１３０から定期的に送信される。シャッタ眼鏡２００では、シャッタ制御部１３０から定期的に送信されたクロック周波数同期パケットを受信してクロック周波数の同期処理を実行し、継続してクロック周波数を同期させることができる。この際、シャッタ制御部１３０からのクロック周波数同期パケットの送信周期は、最初にクロック周波数を同期させる場合の送信周期より長くてもよい。シャッタ制御部１３０からのクロック周波数同期パケットの送信周期を長くすることで、パケットの送受信に要する電力が抑えられる。
【００７７】
以上、図５を用いてシャッタ制御部１３０，２１０のクロック周波数を一致させる処理を実行するための構成について説明した。
【００７８】
ここで、表示装置１００は、本発明における「映像表示装置」の一具体例に対応する。画像表示部１１０は、本発明における「表示部」の一具体例に対応する。カウンタ１３２，１６１は、本発明の映像表示装置における「クロックカウンタ」の一具体例に対応する。送信側カウント値Ｃtrは、本発明における「送信時刻カウント値」の一具体例に対応する。ＲＦ通信部１３４は、本発明における「送信部」の一具体例に対応する。
【００７９】
右目用画像透過部２１２および左目用画像透過部２１４は、本発明における「シャッタ」の一具体例に対応する。カウンタ２３２，２６１は、本発明のシャッタ眼鏡における「クロックカウンタ」の一具体例に対応する。受信側カウント値Ｃrecは、本発明における「受信時刻カウント値」の一具体例に対応する。ＲＦ通信部２３４、受信側カウント値ラッチ回路２６２、受信側カウント値保持部２６４ａ，２６４ｂ、カウント値取得部２６３、および送信側カウント値保持部２６５ａ，２６５ｂは、本発明における「受信部」の一具体例に対応する。電源制御部２４６は、本発明における「制御部」の一具体例に対応する。
【００８０】
［動作および作用］
次に、映像表示システム１０の動作について説明する。
【００８１】
図６は、表示装置１００とシャッタ眼鏡２００との間の一連の動作を表すものである。以下、図６を用いて表示装置１００とシャッタ眼鏡２００との間の一連の動作について説明する。なお、図６においては、表示装置１００とシャッタ眼鏡２００の線について、実線の場合はユニキャスト送信を、破線の場合はブロードキャスト送信を、それぞれ表している。
【００８２】
シャッタ眼鏡２００を通して表示装置１００で時分割表示される映像を見るには、まずシャッタ制御部１３０とシャッタ制御部２１０のクロック周波数を合わせる必要がある。そこで、シャッタ眼鏡２００は、表示装置１００に対してクロック周波数の同期要求を無線送信する（ステップＳ１０１）。クロック周波数の同期要求パケットは例えばシャッタ制御部２１０で生成される。
【００８３】
シャッタ眼鏡２００からのクロック周波数の同期要求を無線受信した表示装置１００は、クロック周波数の同期のためのカウンタ１６１の値が含まれたパケットをシャッタ眼鏡２００に対して無線送信する（ステップＳ１０２）。なお、表示装置１００からはカウンタ１６１の値が含まれたパケットをブロードキャスト送信しているが、これについては後に詳述する。
【００８４】
シャッタ眼鏡２００は、表示装置１００との間でクロック周波数の同期が取れると、続いて表示装置１００に対して、右目用画像透過部２１２や左目用画像透過部２１４の開閉タイミングを指定するためのカウンタ１６１のカウンタ値の合致要求を無線送信する（ステップＳ１０３）。この表示装置１００とシャッタ眼鏡２００との間のカウント値の合致処理は、無線通信に要する時間及び時間のばらつきを考慮して、カウンタ値が完全に一致させるまで複数回繰り返すことが望ましいが、ある許容範囲内に収まった時点でカウンタ値の合致処理を完了させてもよい。
【００８５】
表示装置１００とシャッタ眼鏡２００のカウント値が合致すると、続いて表示装置１００からシャッタ眼鏡２００に対して、表示装置１００で時分割表示される映像が切り替わるタイミングにおけるカウンタ１３２の値を、右目用画像透過部２１２や左目用画像透過部２１４の開閉タイミングとして定期的に無線でブロードキャスト送信する（ステップＳ１０４）。この開閉タイミングの通知は、表示装置１００が映像を切り替える間隔より充分長い間隔（例えば数百ミリ秒間隔）で送信する。また、表示装置１００とシャッタ眼鏡２００との間のクロック周波数のずれを補正するために、クロック周波数の同期のためのカウンタ１６１のカウンタ値が含まれたパケットをシャッタ眼鏡２００に対して定期的に無線送信する（ステップＳ１０５）。もちろん、本発明においては、カウンタ１６１のカウンタ値が含まれたパケットの送信は、定期的に行わず、映像ソースの切り替わりタイミング、例えばコンテンツが変化したタイミング（３Ｄ映像を表示するコンテンツから従来の２Ｄ映像を表示するコンテンツへ変化したタイミングや、その逆のタイミングを含む）や、表示装置１００でチャンネルが切り替わったタイミングで、表示装置１００からブロードキャスト送信するようにしてもよい、
【００８６】
上記ステップＳ１０４での開閉タイミングの送信によって、シャッタ眼鏡２００の右目用画像透過部２１２や左目用画像透過部２１４の開閉タイミングを、表示装置１００が表示する映像の切替タイミングと一致させることができる。なお、表示装置１００が表示する映像の切替タイミングは、映像ソースの切替等の要因によってずれることがあるので、表示装置１００からの右目用画像透過部２１２や左目用画像透過部２１４の開閉タイミングの送信は上述のように所定の周期で実行することが望ましい。
【００８７】
また、上記ステップＳ１０４での開閉タイミングの送信に合わせて、開閉タイミングに関する各種パラメータも表示装置１００から無線送信する。表示装置１００が映像を表示する際の垂直同期周波数は一つではなく、地域や装置の作りによって変化する。また、表示パネルの種類によってもシャッタ眼鏡２００の開閉タイミングは変化する。従って、開閉タイミングに関する各種パラメータを表示装置１００からシャッタ眼鏡２００へ送信することで、様々な種類の表示装置にシャッタ眼鏡２００を対応させることが可能となる。
【００８８】
画像表示部１１０に表示される画像を立体的な画像として知覚させる際のシャッタ眼鏡２００の液晶シャッタの開閉パターンは、右目用画像透過部２１２と左目用画像透過部２１４とが交互に開くものであり、双方が同時に開くことは無い。また、クロストークを防止するために、一方の液晶シャッタが閉じてから他方の液晶シャッタが開くまでに、両方の液晶シャッタが閉じている時間を設けることが望ましい。だが、両方の液晶シャッタが閉じている時間を長くしすぎると、液晶シャッタが開く時間が短くなってしまい、眼に到達する光の量が少なくなることで映像が暗く見えてしまう。
【００８９】
また、シャッタ眼鏡２００の液晶シャッタの開閉周期は、表示装置１００のフレーム周期と画像の入れ替え回数により決まる。表示装置１００のフレーム周期は、映像ソースのフレーム周波数や、表示装置１００で実行する表示フレーム数の向上処理等の画質向上処理の有無により変化する。また、クロストークを防止するために両方の液晶シャッタを閉じる時間は、表示装置１００の映像の入れ替え回数に影響され、また表示パネルのデバイス種（ＣＲＴ、液晶、ＬＥＤ液晶、プラズマ、有機ＥＬ等）や表示パネルのスキャン方法によって最適値が変化する。
【００９０】
従って、シャッタ眼鏡２００の液晶シャッタの開閉タイミングは、シャッタ眼鏡２００によってその最適値が決まるものではなく、表示装置１００の作りや映像ソースによってその最適値が決まるものである。また、映像ソースはユーザに立体的な映像として知覚させるもの以外にも、従来の平面的な映像として知覚させるものもあり、平面的な映像を表示装置１００で表示する場合には、映像を見易くするためにシャッタ眼鏡２００の液晶シャッタの開閉動作を停止させ、常に開いた状態にしておくことが望ましい。
【００９１】
以上より、シャッタ眼鏡２００の液晶シャッタの開閉動作をどのようなタイミングで実行するかを、表示装置１００からシャッタ眼鏡２００に対してパラメータとして通知することで、シャッタ眼鏡２００の液晶シャッタの開閉タイミングを最適化し易くすることができる。具体的には、表示装置１００は、液晶シャッタの開閉周期、液晶シャッタの映像透過時間、左右それぞれの液晶シャッタの映像透過時間の開始までのオフセット時間を、パラメータとしてシャッタ眼鏡２００に対して送信することで、シャッタ眼鏡２００の液晶シャッタの開閉タイミングを最適化できる。
【００９２】
図７は、右目用画像透過部２１２および左目用画像透過部２１４の開閉タイミングの一例を表すものである。図７において、（１）は液晶シャッタの開閉周期を表し、表示装置１００で表示する映像の切替周期と一致するものである。（２）は液晶シャッタの映像透過時間を表し、シャッタ眼鏡２００の右目用画像透過部２１２や左目用画像透過部２１４が１周期の間に光を通す時間である。原則としては右目と左目とで映像透過時間は同一であり、映像透過時間は表示装置１００の種類やフレーム周波数により最適な時間が決まる。（３）及び（４）は、液晶シャッタの開閉周期の起点から左右それぞれの液晶シャッタを開くまでのオフセット時間である。
【００９３】
表示装置１００から送信する上記（１）〜（４）のパラメータは、カウンタ１３２（カウンタ２３２）の値を基準とする。表示装置１００からパラメータをシャッタ眼鏡２００に伝達する際には、表示装置１００とシャッタ眼鏡２００のクロック周波数と、カウンタ１３２、２３２の値が同期しているので、カウンタ値の相対値及び絶対値を上記（１）〜（４）のパラメータとして伝達することで、シャッタ眼鏡２００の液晶シャッタの開閉タイミングを表示装置１００から制御することが出来る。
【００９４】
なお、図７はシャッタ眼鏡２００を掛けたユーザに立体的な映像として知覚させる場合の開閉タイミングの一例を示したものであり、複数のユーザに対して異なる映像を提示する場合には、右目用画像透過部２１２及び左目用画像透過部２１４は同時に開閉し、また平面的な映像を提示する場合には、右目用画像透過部２１２及び左目用画像透過部２１４は常に開いている。従って、表示装置１００からは、表示する映像の種類についてもパラメータとしてシャッタ眼鏡２００に送信することで、シャッタ眼鏡２００は液晶シャッタの開閉タイミングを制御することが可能となる。
【００９５】
また、表示装置１００は、開閉タイミングに関する情報を送信するタイミング（送信側カウント値Ｃtr）についても、上記パラメータを用いてシャッタ眼鏡２００に対して無線送信する。これにより、シャッタ眼鏡２００はこのタイミングで受信動作のオン・オフを切り替えることで電力消費を抑えることができる。
【００９６】
このように、予め表示装置１００とシャッタ眼鏡２００との間でクロック周波数の同期を取り、表示装置１００から右目用画像透過部２１２や左目用画像透過部２１４の開閉タイミングを定期的に通知することで、シャッタ眼鏡２００では開閉タイミングが通知されるタイミングでのみＲＦ通信部２３４を動作させれば良く、表示装置１００から映像の切替タイミングと同時に開閉タイミングを通知する場合に比べて大幅に表示装置１００とシャッタ眼鏡２００の消費電力を削減することができる。また、予め表示装置１００から開閉タイミングの情報を通知することで、何らかの原因でシャッタ眼鏡２００が表示装置１００からのパケットを受信できなかった場合であっても、シャッタ眼鏡２００の内部で自走するカウンタ２３２に基づいて右目用画像透過部２１２及び左目用画像透過部２１４の開閉動作を継続することができる。
【００９７】
ここで、表示装置１００とシャッタ眼鏡２００との間で無線送受信されるパケットの種類について整理する。表示装置１００とシャッタ眼鏡２００との間で無線送受信されるパケットには、（１）クロック周波数同期要求パケット、（２）クロック周波数同期パケット、（３）カウンタ合わせパケット、（４）パラメータ通知パケット、（５）シャッタタイミング通知パケット、（６）シャッタタイミングとパラメータ問い合わせパケット、が含まれる。
【００９８】
（１）クロック周波数同期要求パケットは、シャッタ眼鏡２００から表示装置１００へ送信されるパケットであり、表示装置１００はこのクロック周波数同期要求パケットを受信すると、クロック周波数の同期に用いるカウンタ１６１の値を複数回に渡ってシャッタ眼鏡２００に対して（２）クロック周波数同期パケットによって返信する。
【００９９】
（２）クロック周波数同期パケットは、上述したように、（１）クロック周波数同期要求パケットを受信した表示装置が、クロック周波数の同期に用いるカウンタ１６１の値を複数回に渡ってシャッタ眼鏡２００に対して送信するパケットである。
【０１００】
（３）カウンタ合わせパケットは、表示装置１００とシャッタ眼鏡２００との間で、双方向で無線送受信されるパケットであり、表示装置１００とクロック周波数の同期が取れたシャッタ眼鏡２００から送信される。表示装置１００からはカウンタ１３２の値が返信されて、シャッタ眼鏡２００でのカウンタ合わせに用いられる。
【０１０１】
（４）パラメータ通知パケットは、上述したようなシャッタ眼鏡２００の液晶シャッタの開閉タイミングや、表示装置１００からの送信タイミング（送信側カウント値Ｃtr）や送信タイミング周期に関する各種パラメータを表示装置１００から伝送するためのパケットであり、（２）クロック周波数同期パケットの送信と同タイミングで送信されるようにしてもよい。
【０１０２】
（５）シャッタタイミング通知パケットは、表示装置１００からシャッタ眼鏡２００に対して定期的にブロードキャスト送信されるパケットであり、シャッタ眼鏡２００の液晶シャッタの開閉タイミングをカウンタの値で通知するためのパケットである。
【０１０３】
（６）シャッタタイミングとパラメータ問い合わせパケットは、シャッタ眼鏡２００が表示装置１００からの（５）シャッタタイミング通知パケットが受信できなくなったとき、個別に、シャッタタイミング通知パケットの伝送を要求するパケットである。なお、（６）シャッタタイミングとパラメータ問い合わせパケットを受信した表示装置１００からの応答はユニキャストで送られる。
【０１０４】
図８は、映像表示システム１０の一動作例を、流れ図を用いて表すものである。以下、図８を用いて表示装置１００とシャッタ眼鏡２００との間の一連の動作について説明する。
【０１０５】
まず、シャッタ眼鏡２００は、表示装置１００に対してクロック周波数の同期要求を無線送信する（ステップＳ１１１）。クロック周波数の同期要求パケットは例えばシャッタ制御部２１０で生成される。このシャッタ眼鏡２００からの同期要求が送信されるタイミングは、例えばシャッタ眼鏡２００の電源が投入されたタイミングである。シャッタ眼鏡２００からのクロック周波数の同期要求を無線受信した表示装置１００は、クロック周波数の同期のためのカウンタ１６１のカウンタ値が含まれたパケットをシャッタ眼鏡２００に対して無線送信する。
【０１０６】
表示装置１００から無線送信された、カウンタ１６１のカウンタ値が含まれたパケットを受信したシャッタ眼鏡２００は、表示装置１００とシャッタ眼鏡２００のクロック周波数を合わせる処理を実行する（ステップＳ１１２）。表示装置１００とシャッタ眼鏡２００のクロック周波数を合わせる処理は、図３に示したような構成により実行されるが、本発明では、表示装置１００とシャッタ眼鏡２００のクロック周波数を合わせる処理を実行する構成は、かかる例に限定されるものではない。
【０１０７】
表示装置１００とシャッタ眼鏡２００のクロック周波数が一致すると、続いて右目用画像透過部２１２や左目用画像透過部２１４の開閉に用いるカウンタ値を、表示装置１００とシャッタ眼鏡２００とで一致させる（ステップＳ１１３）。これは、シャッタ眼鏡２００は表示装置１００に対して、右目用画像透過部２１２や左目用画像透過部２１４の開閉タイミングを指定するためのカウンタ値の合致要求を無線送信し、表示装置１００はカウンタ値の合致要求に応じてカウンタ値の情報をシャッタ眼鏡２００に無線送信することにより実行される。
【０１０８】
右目用画像透過部２１２や左目用画像透過部２１４の開閉に用いるカウンタ値を表示装置１００とシャッタ眼鏡２００とで一致させると、続いて、表示装置１００は、シャッタ眼鏡２００に対して右目用画像透過部２１２や左目用画像透過部２１４の切替周期、開放時間などのパラメータを通知する（ステップＳ１１４）と共に、右目用画像透過部２１２や左目用画像透過部２１４の開閉に用いるカウンタ値を基にした開閉タイミングを通知する（ステップＳ１１５）。なお、このパラメータは、表示装置１００とシャッタ眼鏡２００のクロック周波数が一致した時点で、表示装置１００からシャッタ眼鏡２００に送信しても良い。また、開閉タイミングを通知する際に、表示装置１００は現在のカウンタ値をシャッタ眼鏡２００に通知し、シャッタ眼鏡２００は受信したカウンタ値と自身のカウンタ値とを比較して、同期が外れていないかどうかを確認する（ステップＳ１１６）。
【０１０９】
上記ステップＳ１１６の判断の結果、表示装置１００とシャッタ眼鏡２００の同期が維持できていた場合には、シャッタ眼鏡２００の状態は次回の同期確認タイミング待ちとなる（ステップＳ１１７）。一方、上記ステップＳ１１６の判断の結果、表示装置１００とシャッタ眼鏡２００の同期が外れてしまっていた場合には、上記ステップＳ１１１に戻って、シャッタ眼鏡２００は表示装置１００に対してクロック周波数の同期要求を無線送信する。
【０１１０】
送信側（表示装置１００）と、受信側（シャッタ眼鏡２００）との間で、クロック周波数が完全に一致していれば、最初に開閉タイミングを表示装置１００からシャッタ眼鏡２００に伝達すれば、送信側と受信側のそれぞれのクロックでカウンタを進め、そのカウンタの値をベースに液晶シャッタの開閉動作を実行することができれば、表示装置１００は、上述のように開閉タイミングを定期的に無線でブロードキャスト送信する必要は無い。
【０１１１】
しかし、チャンネルを切り替えたり、再生されるコンテンツが切り替わったりする等して、表示装置１００が表示する映像の切替タイミングが変化した場合には、シャッタ眼鏡２００におけるシャッタの開閉タイミングも変更する必要がある。このような理由から生じる切替タイミングの変化はシャッタ眼鏡２００で予期できるものではない。よって、表示装置１００は、シャッタ眼鏡２００に対して開閉タイミングを通知する必要がある。しかしながら、シャッタ眼鏡２００を常に受信状態にしていては、受信のための電力を常に消費してしまうこととなり、バッテリ駆動が前提であるシャッタ眼鏡２００のバッテリ駆動時間を長くすることは出来ない。
【０１１２】
そこでシャッタ眼鏡２００は、クロック周波数を同期させ、カウンタ値を一致させ、表示装置１００から最初に切替に関するパラメータや切替タイミングを受信した後は、受信タイムスロットを設定し、受信動作を間欠的に実行する。これにより、シャッタ眼鏡２００は受信時の電力を大幅に低減させることができ、シャッタ眼鏡２００のバッテリ駆動時間を長くすることができる。
【０１１３】
図９は、映像表示システム１０における通信動作の一例をシーケンス図として表すものである。図９には、表示装置１００とシャッタ眼鏡２００との間の一連の動作と併せて、シャッタ眼鏡２００でのＲＦ通信部２３４の受信動作期間も図示している。以下、図９を用いて表示装置１００とシャッタ眼鏡２００との間の一連の動作について説明する。
【０１１４】
まず、シャッタ眼鏡２００は、表示装置１００に対してクロック周波数の同期要求を無線送信する（ステップＳ１２１）。クロック周波数の同期要求パケットは例えばシャッタ制御部２１０で生成される。このシャッタ眼鏡２００からの同期要求が送信されるタイミングは、例えばシャッタ眼鏡２００の電源が投入されたタイミングである。シャッタ眼鏡２００からのクロック周波数の同期要求を無線受信した表示装置１００は、クロック周波数の同期のためのカウンタの値が含まれたパケットをシャッタ眼鏡２００に対して無線送信する。パケットを受信したシャッタ眼鏡２００は、表示装置１００とシャッタ眼鏡２００のクロック周波数を合わせる処理を実行する（ステップＳ１２２）。
【０１１５】
表示装置１００とシャッタ眼鏡２００のクロック周波数の同期が完了すると、続いて右目用画像透過部２１２や左目用画像透過部２１４の開閉に用いるカウンタ値を表示装置１００とシャッタ眼鏡２００とで一致させる（ステップＳ１２４）が、このカウンタ値の一致処理に先立ち、表示装置１００からシャッタ眼鏡２００に対し、右目用画像透過部２１２や左目用画像透過部２１４の開閉に関する各種パラメータおよび表示装置１００からの送信に関する各種パラメータを送信しても良い（ステップＳ１２３）。
【０１１６】
右目用画像透過部２１２や左目用画像透過部２１４の開閉に用いるカウンタ値を表示装置１００とシャッタ眼鏡２００とで一致させると、続いて、表示装置１００は、シャッタ眼鏡２００に対して右目用画像透過部２１２や左目用画像透過部２１４の切替周期、開放時間などのパラメータを通知すると共に、右目用画像透過部２１２や左目用画像透過部２１４の開閉に用いるカウンタ値を基にした開閉タイミングを通知する（ステップＳ１２５）。同時に、表示装置１００は、送信タイミング周期および送信タイミング（送信側カウント値Ｃtr）をパラメータとして送信する。表示装置１００は、初回通知以降は予め設定された間隔でパラメータ及び開閉タイミングの情報を無線送信する。
【０１１７】
そして、シャッタ眼鏡２００は、上記ステップＳ１２１におけるクロック周波数の同期要求の無線送信から、表示装置１００からの初回通知の間までをＲＦ通信部２３４における受信動作期間とし、以後は表示装置１００からのパラメータ及び開閉タイミングの情報の通知に合わせてＲＦ通信部２３４を所定の時間（受信タイムスロット）だけ受信動作させ、それ以外の時間を休止状態とする。例えば、表示装置１００から５００ミリ秒間隔でパラメータ及び開閉タイミングの情報が無線送信される場合に、シャッタ眼鏡２００は表示装置１００からの無線送信のタイミングに合わせて５ミリ秒だけＲＦ通信部２３４を受信動作させる。この受信タイムスロットは、表示装置１００から供給される送信に関する各種パラメータに基づいて、送信タイミング保持部２４３、比較部２４５および電源制御部２４６により設定される。本実施形態で用いる無線通信システムはＩＥＥＥ８０２．１５．４に基づくものであり、ＩＥＥＥ８０２．１５．４では、休止状態から送信へ要する時間、または受信から休止状態へ要する時間が数ミリ秒程度で動作可能である。これによりシャッタ眼鏡２００は、常時受信状態とする場合に比べて、無線通信に要する消費電力を１００分の１程度にまで大幅に低減させることが可能となる。なお、本発明においては、表示装置１００とシャッタ眼鏡２００との間の無線通信システムの規格はかかる例に限られないことは言うまでも無いが、上述したように、休止状態から送信へ要する時間、または受信から休止状態へ要する時間が数ミリ秒程度以下である規格を用いることが望ましい。
【０１１８】
もちろん、このようなシャッタ眼鏡２００の間欠的な受信動作の実現には、表示装置１００からもシャッタ眼鏡２００の間欠的な受信動作期間に合わせてパラメータや開閉タイミングの情報を無線送信する必要があるが、これは予め表示装置１００とシャッタ眼鏡２００との間でクロック周波数の同期を取っておくことで実現可能である。
【０１１９】
シャッタ眼鏡２００は、遮蔽物の存在や同期外れ等の要因により、表示装置１００からのパラメータ及び開閉タイミングの情報が正常に受信出来なかった場合には、表示装置１００に対してパラメータ及び開閉タイミングの情報を問い合わせる（ステップＳ１２６）。これは、１度正常に受信出来なかった場合に即座にシャッタ眼鏡２００から表示装置１００へ問い合わせるようにしてもよく、数度連続して正常に受信できなかった場合にシャッタ眼鏡２００から表示装置１００へ問い合わせるようにしてもよい。シャッタ眼鏡２００からの問い合わせを受けた表示装置１００は、パラメータ及び開閉タイミングの情報をシャッタ眼鏡２００に対して無線送信する。
【０１２０】
なお、表示装置１００へ問い合わせを行ってもなお表示装置１００からパラメータ及び開閉タイミングの情報を受信できない場合には、シャッタ眼鏡２００は、同期が外れているものと判断し、シャッタ眼鏡２００から表示装置１００に対して改めてクロック周波数の同期要求を無線送信し、一連の処理を最初から実行する。ここで、シャッタ眼鏡２００から表示装置１００に対して改めてクロック周波数の同期要求を無線送信しても表示装置１００からの応答が無ければ、表示装置１００の電源が切られたものと判断し、シャッタ眼鏡２００は電力を殆ど消費しない休止状態に自らを移行することができる。
【０１２１】
また、表示装置１００がパラメータ及び開閉タイミングの情報をブロードキャスト送信している際に、シャッタ眼鏡２００からの同期要求を受信した場合には、他のシャッタ眼鏡２００に影響を与えないタイミングで、クロック周波数の同期処理に用いるカウンタ１６１の値を、同期要求を送信したシャッタ眼鏡２００に対してユニキャストで無線送信する。
【０１２２】
このように表示装置１００から定期的にパラメータ及び開閉タイミングの情報を通知せずに、シャッタ眼鏡２００から受信開始直前に信号を所定の周期で送信し、シャッタ眼鏡２００からの信号を受信した表示装置１００が、その受信したタイミングでパラメータ及び開閉タイミングの情報を通知することで、シャッタ眼鏡２００の送信に要する時間と表示装置１００の応答時間が増えるものの、上述の動作と同様の動作が、厳格なタイミング管理を要さずに実現できる。しかし、一つの表示装置１００に対して複数のシャッタ眼鏡２００が同時に利用される場合を考えると、全てのシャッタ眼鏡２００が所定の周期（例えば５００ミリ秒）で電波を発し、表示装置１００がその全ての電波に対して応答する必要が生じるので、電波が混雑するだけでなく、シャッタ眼鏡２００同士の送信の衝突や、衝突回避のための遅延等により正常に動作しなくなることが想定される。また、表示装置１００がシャッタ眼鏡２００からの信号を受信したタイミングに合わせて応答するのではなく、常にパラメータ及び開閉タイミングの情報を送信し続ける方法もあるが、この方法ではますます電波量が増大し、同一周波数帯を使用する他の無線通信にも悪影響を及ぼしてしまう。
【０１２３】
従って、本実施形態のように、予め表示装置１００とシャッタ眼鏡２００との間でクロック周波数の同期を取り、表示装置１００とシャッタ眼鏡２００のカウンタを一致させた上で、表示装置１００から周期的にパラメータ及び開閉タイミングの情報を送信し、送信タイミングに合わせてシャッタ眼鏡２００の受信動作を実行することで、電波量が増加せずに済み、シャッタ眼鏡２００同士の衝突も発生せずに済み、なおかつ同一周波数帯を使用する他の無線通信にも影響を与えずに済む。
【０１２４】
以上、表示装置１００とシャッタ眼鏡２００との間の一連の動作について説明した。
【０１２５】
ここで、シャッタ眼鏡２００の液晶シャッタの開閉タイミングを、赤外光で通知する場合と無線で通知する場合の比較を行う。表示装置からは、赤外光をシャッタ眼鏡に通知し、液晶シャッタの開閉タイミングを送るシャッタ眼鏡が既に知られている。しかし、赤外光によるリモコンで使用されている発光ダイオードの光を、点灯または消灯することでコードを送っても安価に入手可能なフォトダイオードでは感度が得られず、表示装置とメガネとの間の実用的な距離での利用ができない。
【０１２６】
例えば、赤外を用いたリモートコントローラは、その到達距離が１０ｍ程度であるが、これは単なる光の点灯／消灯だけではなく、光の強さを変化させることによる４０ｋＨｚ程度のキャリアを乗せ、その上で、このキャリアの乗った光を点灯／消灯させている。受信側はこのキャリアの周波数に共振する回路を備えており、これにより大幅に感度が向上し、このような到達距離を達成している。
【０１２７】
しかし、赤外光を用いたシャッタ眼鏡は、この方法が以下の理由で利用できない。リモートコントローラのコードは、１００ミリ秒毎に１つのコードが送信される程度の通信速度で良いが、１０ミリ秒から２０ミリ秒程度の間隔で映像が切り替わるシャッタ眼鏡は、この映像の切り替わる間隔がシャッタの切り替え間隔となる為、１０ミリ秒から２０ミリ秒程度に１回の割合でコードを送る必要がある。従って、キャリアを載せても送信時間が短く、充分に共振させることが出来ないので、結果、リモートコントローラのような感度の向上を達成することが出来ない。
【０１２８】
また、受信側で共振回路を用いると遅延が発生し、共振回路のＱ値の影響による遅延量のばらつきも多く、正確なシャッタ切り替えタイミングを表示装置から伝達することができない。さらに、受信側に共振回路を用いると、電力の消費が増加し、バッテリ駆動を前提とするシャッタ眼鏡では、バッテリが短時間で消耗してしまう。現状においては、赤外光を送信する側は、複数個の赤外ＬＥＤを並べることで光を強くするか、発光量の多い高価なＬＥＤを使用し、受信側はなるべく感度がよい高価なフォトダイオードを利用するしか方法が無いのが現状である。
【０１２９】
一方、シャッタ眼鏡の液晶シャッタの切替タイミングを無線で通知すると、少ない電力で到達距離を赤外光より延ばすことができる。また、短時間に多くの情報量を送ることができ、相手を指定することで確実な伝達とセパレーションが可能である。さらに、多少の障害物があっても電波であれば影響せず、双方向通信を容易に行えるので、使い勝手の向上が図れる。そして、ハードをＲＦリモートコントローラ等と共用することで、安いコストでの利用が可能となり、さらに既存の普及しているリモートコントローラなどの赤外光を通信に用いた機器に干渉しないという利点もある。
【０１３０】
なお、本実施形態で用いる無線通信システムはＩＥＥＥ８０２．１５．４に基づくもので、ＩＥＥＥ８０２．１５．４に基づく無線通信システムは、他の無線通信規格と比較して以下のような特徴を有する。
（１）スター型ネットワークを構成出来る。
（２）スター型ネットワークにおいて、１つのセンターノードに対し周辺ノード数は実用上制限が無い。従って、１つの表示装置に対してシャッタ眼鏡の数の制限を撤廃することができる。
（３）休止状態から送信への時間、または受信から休止状態への時間が数ミリ秒程度と、高速に実行することが可能である。
（４）休止状態での消費電力を数十μＷ程度まで小さくすることが可能である。
（５）相互に、相手を指定するユニキャスト通信だけでなく、相手を特定しないブロードキャスト送信とその受信も実行できる。
（６）ＩＥＥＥ８０２．１５．４は、個々のノードを特定可能なアドレス数は（２１６−２）であり、実用上制限が無い。他の無線通信システムでは多くても２桁が限界である。  
【０１３１】
本実施形態にかかる映像表示システムで使用する無線通信システムは、このＩＥＥＥ８０２．１５．４に、周辺ノード（すなわちシャッタ眼鏡２００）のクロック周波数をセンターノード（すなわち表示装置１００）のクロック周波数に同期させる機能を追加したものをベースとしたものである。
【０１３２】
［効果］
以上のように、本実施の形態では、シャッタ眼鏡２００の液晶シャッタの開閉タイミングを、表示装置１００から無線で送出する映像表示システムにおいて、表示装置１００から開閉タイミングを通知する前に、表示装置１００とシャッタ眼鏡２００との間でクロック周波数の同期を取るために、シャッタ眼鏡２００は、クロック周波数の同期要求を表示装置１００へ無線送信する。
【０１３３】
表示装置１００とシャッタ眼鏡２００との間のクロック周波数の同期が取れれば、そのクロック周波数でカウント値が変化するカウンタの値を表示装置１００とシャッタ眼鏡２００との間で合わせ、以後はそのカウンタの値を基準として表示装置１００から液晶シャッタの開閉タイミングや各種パラメータを通知して、シャッタ眼鏡２００は表示装置１００から受信した情報に基づいて液晶シャッタの開閉動作を実行する。これにより、表示装置１００から液晶シャッタの開閉タイミングに合わせて逐一タイミング信号のようなものを送信しなくても、シャッタ眼鏡２００は液晶シャッタの開閉動作を自走することができる。
【０１３４】
また、本実施の形態では、表示装置１００は周期的にシャッタ眼鏡２００に対して液晶シャッタの開閉タイミングや各種パラメータを通知し、シャッタ眼鏡２００は、表示装置１００の送信周期に合わせてＲＦ通信部２３４を所定の期間だけ受信可能状態として、その他の期間はＲＦ通信部２３４を電力の消費が殆ど無い休眠状態とする。これにより、ＲＦ通信部２３４を常時受信可能状態とする場合に比べてシャッタ眼鏡２００の消費電力を大幅に低減させることができる。
【０１３５】
また、本実施の形態では、表示装置１００とシャッタ眼鏡２００との間で無線による双方向通信が可能となるので、シャッタ眼鏡２００にジャイロスコープのような角度や角速度を計測する手段を別途設けることにより、シャッタ眼鏡２００を通して表示装置１００に表示された映像を見るユーザの視点に合わせた映像を、表示装置１００で映し出すことが可能となる。
【０１３６】
上記実施の形態では、図６のステップＳ１０３で示したように、クロック周波数を同期させた直後にカウンタの値をシャッタ眼鏡２００から表示装置１００へ問い合わせ、問い合わせを受けた表示装置１００がシャッタ眼鏡２００へ応答していたが、本発明はかかる例に限定されない。例えば、表示装置１００は、シャッタ眼鏡２００へのクロック周波数同期パケットの送信と同じタイミングで、クロック周波数同期パケット送出時のカウンタ１３２の値を埋め込んだパケットを送信しても良い。シャッタ眼鏡２００は、かかるパケットの受信時に、受信したカウンタ値をカウンタ２３２に書き込むまでに生じる遅延時間（例えば、パケット生成及び解読、パケットの送受信に要する時間等の要因で発生する）が一定であれば、その遅延時間を考慮した上でカウンタ２３２にカウンタ値を書き込むことで、上述のようにシャッタ眼鏡２００から問い合わせること無く、液晶シャッタの開閉に用いるカウンタの値を表示装置１００とシャッタ眼鏡２００とで一致させることができる。
【０１３７】
なお、クロック周波数を同期させる際に、クロック周波数同期パケット送出時のカウンタ１３２の値を表示装置１００からシャッタ眼鏡２００へ送信するには、上述のように別のパケットを用いてもよく、表示装置１００から送信するクロック周波数同期パケットと一体としてもよい。クロック周波数同期パケットと一体にしてカウンタ１３２の値を表示装置１００から送信することで、クロック周波数及びカウンタの値を、表示装置１００とシャッタ眼鏡２００との間で効率良く一致させることができる。
【０１３８】
＜２．第２の実施の形態＞
次に、本発明の第２の実施の形態に係る映像表示システム２０について説明する。本実施の形態は、シャッタ眼鏡における、表示装置からの送信タイミングを求める方法が、上記第１の実施の形態と異なるものである。すなわち、上記第１の実施の形態（図５）では、シャッタ眼鏡２００のカウンタ２６１の値（サブカウント値Ｃsub）を、表示装置１００のカウンタ１６１の値（基準カウント値Ｃnt）と一致させることにより、シャッタ眼鏡２００は、表示装置１００からの送信タイミングを求めたが、これに代えて、本実施の形態では、サブカウント値Ｃsubと基準カウント値Ｃntとの関係に基づいて送信タイミングを求めるものである。映像表示システム２０の構成は、図１に示した第１の実施の形態に係る映像表示システム１０と同様であるが、表示装置のシャッタ制御部、およびシャッタ眼鏡のシャッタ制御部が、上記第１の実施の形態と異なっている。なお、上記第１の実施の形態に係る映像表示システム１０と実質的に同一の構成部分には同一の符号を付し、適宜説明を省略する。
【０１３９】
［構成］
図１０は、映像表示システム２０に係る表示装置３００のシャッタ制御部３１０の一構成例を表すものである。図１１は、映像表示システム２０に係るシャッタ眼鏡４００のシャッタ制御部４１０の一構成例を表すものである。
【０１４０】
表示装置３００のシャッタ制御部３１０は、垂直同期ラッチ回路１３３と、パケット生成部３６５とを備えている。垂直同期ラッチ回路１３３は、図３に示した垂直同期ラッチ回路１３３と同様のものであり、シャッタ制御部１３０の外部から供給される基準シンク信号Ｓyncの立ち上がりおよび立ち下がりタイミングにおけるカウンタ１６１の値を保持する回路である。パケット生成部３６５は、カウント値ラッチ回路１６２がラッチしたカウント値（送信側カウント値Ｃtr）の情報に加え、基準シンク信号Ｓyncの情報やその他の制御の為の情報を含むパケットを生成するものである。後述するように、映像表示システム２０では、表示装置３００はパケット（定期パケットＰ）を定期的に送信する。以下に、定期パケットＰについて詳細に説明する。
【０１４１】
図１２は、表示装置３００が送信する定期パケットＰの一構成例を表すものである。定期パケットＰは、同期情報Ａおよび制御情報Ｂから構成される。同期情報Ａは、表示装置３００とシャッタ眼鏡４００とが同期するために必要な情報であり、リアルタイム同期情報Ａ１および基準シンク情報Ａ２から構成される。
【０１４２】
図１３は、同期情報Ａの一構成例を表すものであり、（Ａ）は同期情報Ａとリアルタイム同期情報Ａ１および基準シンク情報Ａ２との関係を示し、（Ｂ）は同期情報Ａの各パラメータを示し、（Ｃ）はそのパラメータのいくつかを説明する波形を示す。図１３（Ａ）に示したように、この例では、リアルタイム同期情報Ａ１は、カウント値ＲＣ，ＲＰの２つのパラメータから構成され、基準シンク情報Ａ２は、カウント値Ｓrise，Ｓfall、パルス番号Ｓnum、およびフラグＳf１，Ｓf２，Ｓf３の計６つのパラメータから構成されている。
【０１４３】
カウント値ＲＣは、定期パケットＰ送信時の基準カウント値Ｃntであり、カウント値ラッチ回路１６２がラッチしたカウント値（送信側カウント値Ｃtr）である。このＲＣは、表示装置３００が定期パケットＰを送信する際の、表示装置３００における送信時刻として機能するものである。カウント値ＲＰは、定期パケットＰの送信タイミング周期であり、基準カウント値Ｃntに基づいた値である。言い換えれば、ＲＰは、定期パケットＰの送信タイミング周期の、基準クロックＣlkによるカウント値である。
【０１４４】
カウント値Ｓriseは、基準シンク信号Ｓyncの立ち上がり時の基準カウント値Ｃntであり、カウント値Ｓfallは、基準シンク信号Ｓyncの立ち下がり時の基準カウント値Ｃntである。パルス番号Ｓnumは、基準シンク信号Ｓyncのパルス番号であり、基準シンク信号Ｓyncが高レベルになるごとに一つずつ増加するものである。図１３（Ｃ）は、これらのカウント値Ｓrise，Ｓfall，Ｓnumを、基準シンク信号Ｓyncおよび基準クロック信号Ｃlkの波形と共に示している。
【０１４５】
フラグＳf１は、基準シンク信号Ｓyncの乱れフラグである。具体的には、Ｓf１は、基準シンク信号Ｓyncの周期Ｔが、それまでの周期Ｔの平均値と比較して、例えば±１００usec以上ずれた場合にアクティブとなるものである。フラグＳf１は、例えば、基準シンク信号Ｓyncの乱れが生じた後、複数（例えば３つ）の定期パケットＰにおいて連続してアクティブにするようにしてもよい。この場合、シャッタ眼鏡４００は、仮に最初の定期パケットＰの受信に失敗したとしても、続く定期パケットＰを受信することにより、基準シンク信号Ｓyncに乱れがあったことを確実に知ることができる。フラグＳf２は、基準シンク信号Ｓyncが無い場合にアクティブとなるフラグである。フラグＳf３は、カウント値Ｓrise，Ｓfallの前後関係を示すフラグである。具体的には、例えば、カウント値Ｓfallがカウント値Ｓriseよりも大きいときに“１”となり、カウント値Ｓfallがカウント値Ｓriseよりも小さいときに“０”となるものである。
【０１４６】
図１４は、制御情報Ｂの一構成例を表すものである。この例では、制御情報Ｂは、動作モード、右目用画像透過部制御、左目用画像透過部制御、および眼鏡電源制御を設定するようになっている。
【０１４７】
動作モードは、例えば、“１１”の場合には、基準シンク信号Ｓyncの有無により、シャッタ眼鏡４００の動作を３Ｄ用もしくは２Ｄ用に自動的に切換えるモードとなり、“０１”の場合には、複数のユーザが別々の２Ｄ映像を見るためのモードとなり、“００”の場合には、シャッタ眼鏡をスタンバイ状態に設定して２Ｄ映像を見るためのモードとなるように設定可能である。
【０１４８】
右目用画像透過部制御および左目画像透過部制御は、例えば、“１１”の場合には、基準シンク信号Ｓyncに従って開閉動作を行うモードとなり、“１０”の場合には、透過状態（開状態）に固定するモードとなり、“０１”の場合には、不透過状態（閉状態）に工程するモードとなるように設定可能である。
【０１４９】
シャッタ眼鏡電源制御は、例えば、“１１”の場合にはシャッタ眼鏡４００の電源をＯＮ状態にし、“１０”の場合にはスタンバイ状態にし、“００”の場合には電源をＯＦＦ状態にするように設定可能である。
【０１５０】
表示装置３００のシャッタ制御部３１０では、パケット生成部３６５が、上述したような構成を有する定期パケットＰを生成し、ＲＦ通信部１３４が、この定期パケットＰを定期的にブロードキャスト送信する。
【０１５１】
シャッタ眼鏡４００のシャッタ制御部４１０は、受信側カウント値保持部４６４ａ，４６４ｂと、送信側カウント値保持部４６５ａ，４６５ｂと、差分取得部４６６ａ，４６６ｂと、カウント値差分量演算部４２１と、クロック周期補正量演算部４２２と、基準シンク情報取得部４１１と、基準シンク情報保持部４１２ａ，４１２ｂと、送信タイミング演算部４３１と、シャッタタイミング演算部４３２と、カウント値変換部４４１，４４２と、電源制御部４４３と、シャッタ開閉制御部４４４とを備えている。
【０１５２】
受信側カウント値保持部４６４ａ，４６４ｂは、受信側カウント値ラッチ回路２６２がラッチしたカウンタ２６１の値（受信側カウント値Ｃrec）を所定の回数ごとに保持するものである。この受信側カウント値Ｃrecは、シャッタ眼鏡４００における定期パケットＰの受信時刻として機能するものである。受信側カウント値保持部４６４ａは、受信側カウント値ラッチ回路２６２から供給される受信側カウント値Ｃrecを、所定の回数に１回の割合で読みとって保持する。その際、受信側カウント値保持部４６４ａに保持されていた情報は、受信側カウント値保持部４６４ａが新しい情報を保持すると同時に受信側カウント値保持部４６４ｂに転送され、受信側カウント値保持部４６４ｂにおいて保持されるようになっている。つまり、受信側カウント値ラッチ回路２６２、および受信側カウント値保持部４６４ａ，４６４ｂは、定期パケットＰの受信時刻を、最大３つ保持する機能を有している。
【０１５３】
送信側カウント値保持部４６５ａ，４６５ｂは、カウント値取得部２６３が取得した、表示装置３００のカウント値ラッチ回路１６２がラッチしたカウント値（送信側カウント値Ｃtr）を所定の回数ごとに保持するものである。この送信側カウント値Ｃtrは、表示装置３００における定期パケットＰの送信時刻として機能するものである。送信側カウント値保持部４６５ａは、カウント値取得部２６３から供給される送信側カウント値Ｃtrを、所定の回数に１回の割合で読みとって保持する。その際、送信側カウント値保持部４６５ａに保持されていた情報は、送信側カウント値保持部４６５ａが新しい情報を保持すると同時に送信側カウント値保持部４６５ｂに転送され、送信側カウント値保持部４６５ｂにおいて保持されるようになっている。つまり、カウント値取得部２６３、および送信側カウント値保持部４６５ａ，４６５ｂは、定期パケットＰの送信時刻を、最大３つ保持する機能を有している。
【０１５４】
差分取得部４６６ａは、受信側カウント値ラッチ回路２６２、および受信側カウント値保持部４６４ａ，４６４ｂに保持されたカウント値のうちの２つの値に基づいて、その差分を求めるものである。この２つの値としては、通常は、受信側カウント値ラッチ回路２６２、および受信側カウント値保持部４６４ｂに保持されたカウント値が選択されるが、後述するように、シャッタ眼鏡４００の起動直後など、シャッタ眼鏡４００が定期パケットＰを３回受信していないために受信カウント値保持部４６４ｂにカウント値が保持されていない場合には、受信側カウント値ラッチ回路２６２、および受信側カウント値保持部４６４ａに保持されたカウント値が選択されるようになっている。
【０１５５】
差分取得部４６６ｂは、カウント値取得部２６３、および送信側カウント値保持部４６５ａ，４６５ｂに保持されたカウント値のうちの２つの値に基づいて、その差分を求めるものである。この２つの値としては、上述した差分取得部４６６ａと同様に、通常は、カウント値取得部２６３、および送信側カウント値保持部４６５ｂに保持されたカウント値が選択されるが、送信側カウント値保持部４６５ｂにカウント値が保持されていない場合には、カウント値取得部２６３、および送信側カウント値保持部４６５ａに保持されたカウント値が選択されるようになっている。
【０１５６】
カウント値差分量演算部４２１は、表示装置３００の基準カウント値Ｃntとシャッタ眼鏡４００のサブカウント値Ｃsubとの差を、送信側カウント値Ｃtrおよび受信側カウント値Ｃrecに基づいて求め、差分量Ｄとして出力するものである。具体的には、カウント値差分量演算部４２１は、受信側カウント値ラッチ回路２６２およびカウント値取得部２６３においてラッチされたカウント値に基づいて演算を行うようになっている。
【０１５７】
クロック周期補正量演算部４２２は、表示装置３００の基準クロックＣlkとシャッタ眼鏡４００のサブクロックＳubＣlkとの周期の比を求め、クロック周期補正量Ｒとして出力するものである。具体的には、クロック周期補正量演算部４２２は、差分取得部４６６ａ，４６６ｂから供給された情報に基づいて演算を行うようになっている。
【０１５８】
基準シンク情報取得部４１１は、ＲＦ通信部２３４が受信した定期パケットＰに含まれている基準シンク情報Ａ２（図１３）を取得するものである。基準シンク情報保持部４１２ａ，４１２ｂは、基準シンク情報取得部４１１が取得した基準シンク情報Ａ２を、所定の回数ごとに保持するものである。基準シンク情報保持部４１２ａは、基準シンク情報取得部４１１から供給される基準シンク情報Ａ２を、所定の回数に１回の割合で読みとって保持する。その際、基準シンク情報保持部４１２ａに保持されていた情報は、基準シンク情報保持部４１２ａが新しい情報を保持すると同時に基準シンク情報保持部４１２ｂに転送され、基準シンク情報保持部４１２ｂにおいて保持されるようになっている。つまり、基準シンク情報取得部４１１は、基準シンク情報Ａ２を最大３つ保持する機能を有している。
【０１５９】
パケット送信間隔取得部４１３は、ＲＦ通信部２３４が受信した定期パケットＰに含まれている、定期パケットＰの送信タイミング周期ＲＰ（図１３）を取得するものである。
【０１６０】
なお、この例では、ＲＦ通信部２３４が受信した定期パケットＰから、カウント値取得部２６３、基準シンク情報取得部４１１、およびパケット送信間隔取得部４１３を用いて必要な情報を別々に取得し、それらを別々に保持するようにしたが、これに限定されるものではなく、これに代えて、例えば、定期パケットＰ自体を例えば３回分保持しておき、その中から必要なもの取得するようにしてもよい。
【０１６１】
送信タイミング演算部４３１は、送信側カウント値Ｃtrおよび定期パケットＰの送信タイミング周期ＲＰに基づいて、表示装置３００が次回に定期パケットＰを送信するタイミングを、基準カウント値Ｃntを基準として求めるものである。つまり、この演算によって求められた、定期パケットＰの次回の送信タイミングは、表示装置３００（送信側）の時刻で規定されたものである。具体的には、送信タイミング演算部４３１は、カウント値取得部２６３およびパケット送信間隔取得部４１３からの情報に基づいて演算を行い、この演算によって求められた定期パケットＰの次回の送信タイミングを、定期パケットＰの送信タイミング周期ＲＰとともに、カウント値変換部４４１に供給するようになっている。
【０１６２】
カウント値変換部４４１は、送信タイミング演算部４３１から供給された、定期パケットＰの次回の送信タイミングおよび定期パケットＰの送信タイミング周期ＲＰの時間の基準を、基準カウント値Ｃntからサブカウント値Ｃsubに変換するものである。この演算により求められた、定期パケットＰの次回の送信タイミングおよび定期パケットＰの送信タイミング周期ＲＰは、シャッタ眼鏡４００（受信側）の時刻で規定されたものとなる。具体的には、カウント値変換部４４１は、カウント値差分量演算部４２１から供給される差分量Ｄと、クロック周期補正量演算部４２２から供給されるクロック周期補正量Ｒに基づいて変換演算を行い、この演算によって求められた定期パケットＰの次回の送信タイミングおよび定期パケットＰの送信タイミング周期ＲＰを、後述する送信タイミング用レジスタＲtrに保持するようになっている。
【０１６３】
シャッタタイミング演算部４３２は、基準シンク情報Ａ２に基づいて、次回のシャッタ眼鏡４００の右目用画像透過部２１２および左目用画像透過部２１４の開閉タイミングを、基準カウント値Ｃntを基準として求めるものである。つまり、この演算によって求められた、次回の開閉タイミングは、表示装置３００（送信側）の時刻で規定されたものである。また、シャッタタイミング演算部４３２は、この次回のシャッタの開閉タイミングとともに、シャッタ開閉周期も求めるようになっている。具体的には、シャッタタイミング演算部４３２は、基準シンク情報取得部４１１および基準シンク情報保持部４１２ａ，４１２ｂに保持されたカウント値のうちの２つの値に基づいて演算を行うようになっている。この２つの値としては、この例では、基準シンク情報取得部４１１および基準シンク情報保持部４１２ｂに保持されたカウント値が選択されるが、これに限定されるものではなく、例えば、基準シンク情報取得部４１１および基準シンク情報保持部４１２ａに保持されたカウント値が選択されるようにしてもよい。シャッタタイミング演算部４３２は、この演算によって求められた、次回のシャッタの開閉タイミングおよびシャッタ開閉周期を、カウント値変換部４４２に供給するようになっている。
【０１６４】
カウント値変換部４４２は、シャッタタイミング演算部４３２から供給された、次回のシャッタの開閉タイミングおよびシャッタ開閉周期の時間の基準を、基準カウント値Ｃntからサブカウント値Ｃsubに変換するものである。この演算により求められた、次回のシャッタの開閉タイミングおよびシャッタ開閉周期は、シャッタ眼鏡４００（受信側）の時刻で規定されたものとなる。具体的には、カウント値変換部４４２は、カウント値差分量演算部４２１から供給される差分量Ｄと、クロック周期補正量演算部４２２から供給されるクロック周期補正量Ｒに基づいて変換演算を行い、この演算によって求められた次回のシャッタの開閉タイミングおよびシャッタ開閉周期を、後述するシャッタタイミング用レジスタＲshに保持するようになっている。
【０１６５】
図１５は、シャッタ眼鏡４００のレジスタの一構成例を表すものである。シャッタ眼鏡４００は、送信タイミング用レジスタＲtrと、シャッタタイミング用レジスタＲshと、割り込み用レジスタＲｉとを備えている。これらのレジスタの値は、全てサブカウント値Ｃsubを基準としたものであり、シャッタ眼鏡４００（受信側）の時刻で規定されたものである。
【０１６６】
送信タイミング用レジスタＲtrは、カウント値変換部４４１により求められた、次回の定期パケットＰの送信タイミングと、送信タイミング周期を格納するものである。
【０１６７】
シャッタタイミング用レジスタＲshは、カウント値変換部４４２により求められた、次回のシャッタの開閉タイミングと、シャッタ開閉周期を格納するものである。次回のシャッタの開閉タイミングは、具体的には、次回の左目用画像透過部の開動作タイミングと、次回の左目用画像透過部の閉動作タイミングと、次回の右目用画像透過部の開動作タイミングと、次回の右目用画像透過部の閉動作タイミングの、計４つのタイミングから構成されている。
【０１６８】
割り込み用レジスタＲｉは、上述した５つの次回タイミング情報、すなわち、次回の定期パケットＰの送信タイミングと、次回の左目用画像透過部の開動作タイミングと、次回の左目用画像透過部の閉動作タイミングと、次回の右目用画像透過部の開動作タイミングと、次回の右目用画像透過部の閉動作タイミングのうち、最初にそのタイミングが訪れるものを格納する機能を有している。具体的には、５つの次回タイミング情報のうち、最初にそのタイミングが訪れるもののタイミング情報が、割り込み用レジスタＲｉに割り込みタイミングとして格納されるようになっている。それと同時に、割り込みタイミングとして保持されたタイミング情報の種類、すなわち、シャッタタイミングもしくは送信タイミング、さらにシャッタタイミングの場合には、右目用画像透過部もしくは左目用画像透過部、開動作もしくは閉動作を識別するための情報が、割り込み用レジスタＲｉに割り込み種類として格納されるようになっている。
【０１６９】
電源制御部４４３は、割り込みレジスタＲｉの情報、およびカウンタ２６１から供給されるサブカウント値Ｃsubに基づいて、シャッタ眼鏡４００の電源制御を行うものである。具体的には、割り込み用レジスタＲｉの割り込みタイミング（図１５）に合わせてシャッタ眼鏡４００の電源をオン状態とし、定期パケットＰの受信、シャッタの開閉制御などを行った後に、シャッタ眼鏡４００を、消費電力を殆ど消費しないスリープ状態にするように制御する。つまり、電源制御部４４３は、定期パケットＰを受信する際の受信タイムスロットを設定する機能を有している。この構成により、シャッタ眼鏡４００の消費電力を最小限に抑えることが可能となっている。
【０１７０】
なお、シャッタの開閉制御に関する割り込みの頻度は、定期パケットＰの受信に関する頻度に比べて高く、例えば１００倍以上になる場合もある。そこで、例えば、シャッタ制御部４１０におけるシャッタの開閉制御に関する処理を専用に行う、より低消費電力のマイコンなどを新たに設け、このマイコンにこの処理を行わせることにより、このシャッタ制御部４１０の割り込み回数を大幅に減らすことができ、シャッタ眼鏡４００全体としての消費電力をさらに低減することも可能である。
【０１７１】
シャッタ開閉制御部４４４は、割り込みレジスタＲｉの情報、およびカウンタ２６１から供給されるサブカウント値Ｃsubに基づいて、シャッタ眼鏡４００の右目用画像透過部２１２および左目用画像透過部２１４を制御するための右目用制御信号ＣＴＲＬＲおよび左目用制御信号ＣＴＲＬＬを生成するものである。シャッタ開閉制御部４４３は、図３に示した、比較部２３５およびシャッタ開閉制御部２３６に対応するものである。
【０１７２】
このようにシャッタ制御部３１０，４１０を構成することにより、表示装置３００は、シャッタ眼鏡４００がシャッタの開閉動作をする度にその開閉動作の指示を行わなくても、シャッタ眼鏡４００は、次回の開閉タイミングを計算することにより右目用画像透過部２１２や左目用画像透過部２１４を開閉制御することができる。つまり、表示装置４００は、シャッタの開閉周期よりも長い周期で、シャッタ眼鏡３００に対して開閉指示の無線送信を行うことができるようになっている。
【０１７３】
ここで、表示装置３００は、本発明における「映像表示装置」の一具体例に対応する。ＲＦ通信部２３４、受信側カウント値ラッチ回路２６２、受信側カウント値保持部４６４ａ，４６４ｂ、カウント値取得部２６３、および送信側カウント値保持部４６５ａ，４６５ｂは、本発明における「受信部」の一具体例に対応する。電源制御部４４３は、本発明における「制御部」の一具体例に対応する。シャッタタイミング演算部４３２は、本発明における「開閉タイミング演算部」の一具体例に対応する。
【０１７４】
［動作および作用］
続いて、本実施の形態の映像表示システム２０の動作および作用について説明する。
【０１７５】
（全体動作概要）
表示装置３００のシャッタ制御部３１０では、まず、発振回路１３１が基準クロックＣlkを生成する。カウンタ１６１は、基準クロックＣlkに基づいて基準カウント値Ｃntを生成する。タイミング発生間隔制御部１６３は、定期パケットＰの送信タイミングを生成する。送信タイミング発生部１６４は、定期パケットＰの送信タイミングを、カウント値ラッチ回路１６２およびパケット生成部３６５に通知する。カウント値ラッチ回路１６２は、定期パケットＰの送信タイミングにおいて基準カウント値Ｃntをラッチし、送信側カウント値Ｃtrを生成する。垂直同期ラッチ回路１３３は、供給された基準シンク信号Ｓyncの立ち上がりおよび立ち下がりタイミングにおいて基準カウント値Ｃntをラッチする。パケット生成部３６５は、カウント値ラッチ回路１６２および垂直同期ラッチ回路１３３から供給される情報に基づいて、定期パケットＰを生成する。ＲＦ通信部１３４は、この定期パケットＰをブロードキャスト送信する。
【０１７６】
シャッタ眼鏡４００のシャッタ制御部４１０では、まず、発振回路２３１がサブクロックＳubＣlkを生成する。カウンタ２６１は、サブクロックＳubＣlkに基づいてサブカウント値Ｃsubを生成する。ＲＦ通信部２３４が、表示装置３００から送信される定期パケットＰを受信する。受信側カウント値ラッチ回路２６２は、ＲＦ通信部２３４が定期パケットＰを受信したタイミングにおいて、サブカウント値Ｃsubをラッチし、受信側カウント値Ｃrecを生成する。受信側カウント値保持部４６４ａ，４６４ｂは、受信側カウント値Ｃrecを保持する。カウント値取得部２６３は、ＲＦ通信部２３４が受信した定期パケットＰに含まれる、送信側カウント値Ｃtrを取得する。送信側カウント値保持部４６５ａ，４６５ｂは、送信側カウント値Ｃtrを保持する。基準シンク情報取得部４１１は、ＲＦ通信部２３４が受信した定期パケットＰに含まれる、基準シンク情報Ａ２を取得する。基準シンク情報保持部４１２ａ，４１２ｂは、基準シンク情報Ａ２を保持する。パケット送信間隔取得部４１３は、ＲＦ通信部２３４が受信した定期パケットＰに含まれる、定期パケットＰの送信タイミング周期ＲＰを取得する。差分取得部４６６ａは、受信側カウント値ラッチ回路２６２、および受信側カウント値保持部４６４ａ，４６４ｂから２つの受信側カウント値Ｃrecを選択してその差分を求める。差分取得部４６６ｂは、カウント値取得部２６３、および送信側カウント値保持部４６５ａ，４６５ｂから２つの送信側カウント値Ｃtrを選択してその差分を求める。カウント値差分量演算部４２１は差分量Ｄを求める。クロック周期補正量演算部４２２はクロック周期補正量Ｒを求める。送信タイミング演算部４３１は、次回の定期パケットＰの送信タイミングを、基準カウント値Ｃntを基準として求め、カウント値変換部４４１は、このタイミングをサブカウント値Ｃsubを基準とした値に変換する。シャッタタイミング演算部４３２は、次回のシャッタの開閉タイミングを、基準カウント値Ｃntを基準として求め、カウント値変換部４４２は、このタイミングをサブカウント値Ｃsubを基準とした値に変換する。電源制御部４４３は、次回の定期パケットＰの送信タイミング、および次回のシャッタの開閉タイミングに合わせて、シャッタ眼鏡４００の電源をオン状態とし、その他の期間はスリープ状態にするように制御する。シャッタ開閉制御部４４４は、右目用画像透過部２１２および左目用画像透過部２１４を制御する。
【０１７７】
次に、映像表示システム２０の全体動作を、いくつかのシーケンス図を用いて説明する。
【０１７８】
図１６は、映像表示システム２０における通信動作の一例を、シーケンス図を用いて表すものである。表示装置３００は、定期パケットＰを、一定の周期（例えば５００ｍｓｅｃ）でブロードキャスト送信する。シャッタ眼鏡４００は、あるタイミングで電源がオン状態になると、まず、連続受信モードとして動作を開始する。そして、シャッタ眼鏡４００は、この例では、２つの定期パケットを受信した後、表示装置３００からの次回の定期パケットＰの送信タイミングを求め、連続受信モードから間欠受信モードへ移行する。間欠受信モードでは、シャッタ眼鏡４０は、定期パケットＰの送信タイミングに合うように受信タイミングスロットを設定し電源をオン状態にして、定期パケットＰを受信するとともに、次回の送信タイミングの演算などの処理を行い、その処理が終了すると、消費電力を殆ど消費しないスリープ状態にするように動作する。この間欠受信モードにおいて、受信タイムスロットの時間は、例えば５ｍｓｅｃ程度である。なお、図１６では、シャッタ眼鏡４００は、説明の便宜上、定期パケットＰを受信するタイミングにおいてのみ電源をオン状態にしているが、後述するように、シャッタの開閉タイミングにおいても電源をオン状態にするように動作する。
【０１７９】
このように、映像表示システム２０では、シャッタ眼鏡４００は最初に２つの定期パケットを連続受信モードで受信した後は、間欠受信モードに移行する。間欠受信モードでは、シャッタ眼鏡４００は、定期パケットＰを受信するタイミングやシャッタの開閉タイミングにあわせて電源をオン状態として受信可能な状態になり、それ以外の期間ではスリープ状態となる。これにより、電源がオン状態になる時間を短くすることができ、シャッタ眼鏡４００の低消費電力を実現できる。
【０１８０】
また、映像表示システム２０では、表示装置３００は定期パケットＰをブロードキャスト送信する。よって、例えば、映画館で３Ｄ映像を表示する場合など、複数のシャッタ眼鏡４００が使用される場合においても、シャッタ眼鏡４００が、表示装置３００からブロードキャスト送信された定期パケットＰに基づいてそれぞれ動作する。つまり、映像表示システム２０では、上記第１の実施の形態に係る映像表示システム１０のように、表示装置３００と複数のシャッタ眼鏡４００のそれぞれとの間で別々に送受信を行う必要がない。これにより、映像表示システム２０における送受信がシンプルになり、電波の混信が低減することにより、多くのシャッタ眼鏡４００を同時に使用することができるようになる。
【０１８１】
図１７は、映像表示システム２０における通信動作の他の一例であり、送信タイミングがずれた場合を表すものである。シャッタ眼鏡４００が間欠受信モードで動作しているときに、表示装置３００から送信される定期パケットＰの送信タイミングがずれると、シャッタ眼鏡４００は、この定期パケットＰを受信できないおそれがある（Ｗ１）。シャッタ眼鏡４００は、所定の回数、定期パケットＰを受信できなかった場合、間欠受信モードから連続受信モードに移行する。これにより、シャッタ眼鏡４００は、定期パケットＰを受信できるようになる。そして、シャッタ眼鏡４００は、連続受信モードにおいて、２つの定期パケットＰを受信したときには、図１６と同様に、再度連続受信モードから間接受信モードに移行する。このようにして、シャッタ眼鏡４００は、表示装置３００との通信を復旧できる。
【０１８２】
なお、この例では、送信タイミングがずれた場合を示したが、これに代えて、例えば受信タイミングがずれた場合でも全く同様である。例えば、シャッタ眼鏡４００において、次回の送信タイミングを求める演算が正常に行われなかった場合に、シャッタ眼鏡４００は、本来の定期パケットＰの送信タイミングとは異なるタイミングに受信タイムスロットを設定し電源をオン状態とする。このとき、図１７に示したように、シャッタ眼鏡４００は、定期パケットＰを受信できないおそれがある。このような場合でも、シャッタ眼鏡４００は、間欠受信モードから連続受信モードに移行して、表示装置３００との通信を確立したのちに再度間欠受信モードに移行することにより、表示装置３００との通信を復旧できる。
【０１８３】
このように、映像表示システム２０では、シャッタ眼鏡４００は、上述したようなリカバーシーケンスを持つことにより、なんらかの事情により表示装置３００との通信ができなくなった場合でも、その通信を復旧することができる。
【０１８４】
図１８は、映像表示システム２０における通信動作の他の一例であり、表示装置３００からの定期パケットＰの送信が停止した場合を表すものである。シャッタ眼鏡４００が間欠受信モードで動作しているときに、表示装置３００からの定期パケットＰの送信が停止すると、シャッタ眼鏡４００は、定期パケットＰを受信できなくなる。シャッタ眼鏡４００は、図１７と同様に、所定の回数、定期パケットＰを受信できなかった場合、間欠受信モードから連続受信モードに移行する。このとき、表示装置３００は定期パケットＰを送信していないので、シャッタ眼鏡４００は、連続受信モードに移行しても定期パケットＰを受信することができない。このように、シャッタ眼鏡４００は、連続受信モードでも定期パケットＰを受信できなかった場合には、定期パケットＰが存在していないと判断し、自らの電源をオフ状態とする。
【０１８５】
このように、映像表示システム２０では、シャッタ眼鏡４００は、上述したようなリカバーシーケンスを持つことにより、なんらかの事情により表示装置３００が定期パケットＰの送信を停止した場合に、定期パケットＰが存在しないことを自ら検出し、電源をオフ状態とすることにより、不要な消費電力を削減することができる。
【０１８６】
次に、シャッタ眼鏡４００の詳細動作を、いくつかのフローチャートを用いて詳細に説明する。
【０１８７】
（シャッタ眼鏡４００の起動後の動作）
図１９は、シャッタ眼鏡４００の起動後の一動作例の流れ図を表すものである。このフローでは、シャッタ眼鏡４００は、電源がオン状態になると、連続受信モードでの動作を開始し、表示装置３００から定期パケットＰを受信する。定期パケットＰを２つ以上受信すると、定期パケットＰの受信に伴う処理を行った後にスリープ状態になり、タイマ割り込み処理を行うごとに間欠動作を行う間欠受信モードに移行する。以下に、フローの各ステップを詳細に説明する。
【０１８８】
まず、シャッタ眼鏡４００は、電源が投入されると所定の初期化動作を行い（ステップＳ１）、その後に連続受信を開始する（ステップＳ２）。これにより、シャッタ眼鏡４００は、連続受信モードでの動作を開始し、表示装置３００から送信される定期パケットＰを受信できるようになる。
【０１８９】
次に、シャッタ眼鏡４００は、定期パケットＰを受信したかどうかを判断する（ステップＳ３）。具体的には、ＲＦ通信部２３４は、定期パケットＰを受信したかどうかを判断する。定期パケットＰを受信した場合には、ステップＳ６に進む。定期パケットＰを受信していない場合には、シャッタ眼鏡４００は、所定の時間と比較することによりタイムアウトかどうかを判断し（ステップＳ４）。タイムアウトしていない場合には、再度ステップＳ３に戻って、定期パケットＰを受信したかどうかを判断する。タイムアウトした場合には、シャッタ眼鏡４００は、定期パケットＰが存在していないと判断し、シャッタ眼鏡４００の電源をオフ状態に設定する（ステップＳ５）。
【０１９０】
ステップＳ３において、定期パケットＰを受信した場合には、シャッタ眼鏡４００は、その定期パケットＰを保存する（ステップＳ６）。具体的には、まず、ＲＦ通信部２３４が定期パケットＰを受信すると、その受信タイミングにおいて、受信側カウント値ラッチ回路２６２が、サブカウント値Ｃsubをラッチし、受信側カウント値Ｃrecとして出力する。受信側カウント値保持部４６４ａは、所定の回数定期パケットＰを受信するごとに、受信側カウント値Ｃrecを読み取って保持（保存）する。その際、受信側カウント値保持部４６４ａに保持されていた値は、受信側カウント値保持部４６４ｂに転送される。次に、カウント値取得部２６３が、ＲＦ通信部２３４が受信した定期パケットＰから、リアルタイム同期情報Ａ１のＲＣ（送信側カウント値Ｃtr）を取得し、送信側カウント値保持部４６５ａが、所定の回数定期パケットＰを受信するごとに、その取得した値を保持（保存）する。その際、送信側カウント値保持部４６５ａに保持されていた値は、送信側カウント値保持部４６５ｂに転送される。また、パケット送信間隔取得部４１３が、リアルタイム同期情報Ａ１のＲＰ（定期パケットＰの送信タイミング周期）を取得する。そして、基準シンク情報取得部４１１が、基準シンク情報Ａ２を取得し、基準シンク情報保持部４１２ａが、所定の回数定期パケットＰを受信するごとに、その取得した情報を保持（保存）する。その際、基準シンク情報保持部４１２ａに保持されていた値は、基準シンク情報保持部４１２ｂに転送される。
【０１９１】
次に、シャッタ眼鏡４００は、有効な定期パケットＰを２つ以上保存したかを判断する（ステップＳ７）。２つ以上保存した場合にはステップＳ８に進み、２つ以上保存していない場合にはステップＳ３に戻る。
【０１９２】
ここで、シャッタ眼鏡４００における定期パケットＰの受信と保存について説明する。
【０１９３】
図２０は、映像表示装置２０において送受信される定期パケットＰのタイミングを模式的に表したものであり、（Ａ）は表示装置３００における送信タイミングを示し、（Ｂ）はシャッタ眼鏡４００における受信タイミングを示す。図２０（Ｂ）では、様々な現在時刻ｔｎを想定し、その現在時刻ｔｎ以前に受信した定期パケットＰが示されている。シャッタ眼鏡４００は、表示装置３００から送信された定期パケットＰを受信する際、受信した全ての定期パケットＰを保存せず、保持している最新の定期パケットＰとの時間間隔が所定の間隔（この例では定期パケットＰの送信周期の５周期分）になるまでは、すぐ前に受信した定期パケットを消去して受信した定期パケットを保持する。所定の間隔になったときは、もっとも古い定期パケットを消去して受信した定期パケットを保持する。これにより、保存した３つの定期パケットＰのうちの、最初に保存したものと最後に保存したものとのタイミング差Ｄ１は、電源投入直後を除き、この例では定期パケットＰの送信周期の６倍以上の時間となる。このタイミング差Ｄ１は、差分取得部４４６ａ，４４６ｂにおいて演算されるものであり、クロック周期補正量Ｒの演算に用いられるものである。このタイミング差Ｄ１が大きいほど、続いて行われるクロック周期補正量Ｒを用いた演算の精度が向上する。このように、定期パケットＰを保存する周期を大きくするほど、タイミング差Ｄ１が大きくなり、演算の精度を高くすることができる。
【０１９４】
次に、シャッタ眼鏡４００は、連続受信を停止する（ステップＳ８）。これにより、シャッタ眼鏡４００は、後述するように、連続受信モードから間欠受信モードへと移行する。
【０１９５】
次に、シャッタ眼鏡４００は、定期パケット受信後処理Ｓ９を実行する（ステップＳ９）。具体的には、詳細は後述するが、受信した定期パケットＰの情報に基づいて演算処理を行い、その結果を送信タイミング用レジスタＲtrおよびシャッタタイミング用レジスタＲsh（図１５）に格納する。
【０１９６】
次に、シャッタ眼鏡４００は、次回のタイマ割り込みポイントをセットする（ステップＳ１０）。具体的には、電源制御部４４３は、送信タイミング用レジスタＲtrに格納された次回の送信タイミング、およびシャッタタイミング用レジスタＲshに格納された、次回の左目用画像透過部の開動作タイミングと、次回の左目用画像透過部の閉動作タイミングと、次回の右目用画像透過部の開動作タイミングと、次回の右目用画像透過部の閉動作タイミングの５つの次回タイミング情報のうち、最初にそのタイミングが訪れるものを割り込み用レジスタＲｉに格納する。これにより、割り込み用レジスタＲｉには、５つの次回タイミング情報のうち、最初にそのタイミングが訪れるもののタイミング情報が割り込みタイミングとして格納され、そのタイミング情報の種類が割り込み種類として格納される。
【０１９７】
次に、シャッタ眼鏡４００は、スリープ状態となる（ステップＳ１１）。具体的には、電源制御部４４３は、サブカウント値Ｃsubを常にモニタし、サブカウント値Ｃsubが割り込み用レジスタＲｉの割り込みタイミングの値になるまでの間、シャッタ眼鏡４００をスリープ状態に設定する。
【０１９８】
そして、シャッタ眼鏡４００は、タイマ割り込みが生じたときに、タイマ割り込み処理を行う（ステップＳ１２）。具体的には、詳細は後述するが、電源制御部４４３は、サブカウント値Ｃsubが割り込み用レジスタＲｉの割り込みタイミングの値と一致すると（タイマ割り込み発生）、シャッタ眼鏡４００の電源をオン状態とし、割り込み用レジスタＲｉの割り込みタイミングおよび割り込み種類の情報に基づいて処理を行い、その処理が終了すると再びスリープ状態となる。つまり、シャッタ眼鏡４００は、タイマ割り込み処理を行うごとに間欠動作を行う間欠受信モードで動作する。
【０１９９】
その後、シャッタ眼鏡４００は、このステップＳ１２を繰り返す。
【０２００】
（定期パケット受信後処理）
次に、図１９に示したシャッタ眼鏡４００のフローにおける定期パケット受信後処理（ステップＳ９）のサブルーチンについて説明する。
【０２０１】
図２１は、定期パケット受信後処理の流れ図を表すものである。このフローでは、シャッタ眼鏡４００は、保存された定期パケットＰの各情報に基づいて、基準カウント値Ｃntに基づく送信タイミングおよびシャッタタイミングを計算し、その後、これらをサブカウント値Ｃsubに基づく値に変換する。以下に、フローの各ステップを詳細に説明する。
【０２０２】
まず、シャッタ眼鏡４００は、最新の定期パケットＰの制御情報をセットする（ステップＳ２１）。具体的には、ＲＦ通信部２３４は、受信した定期パケットＰを保存する際、定期パケットＰに含まれる制御情報Ｂを、図示しない制御情報レジスタに格納する。シャッタ眼鏡４００は、この格納された情報に基づいて動作を開始する。シャッタ眼鏡４００は、その制御情報が電源オフを指示するものかどうかを確認し（ステップＳ２２）、電源オフを指示するものである場合には、自らの電源をオフ状態にする（ステップＳ２３）。
【０２０３】
次に、シャッタ眼鏡４００は、基準クロックＣlkとサブクロックＳubＣlkとのクロック周期補正量Ｒを計算する（ステップＳ２４）。具体的には、まず、差分取得部４６６ａが、受信側カウント値ラッチ回路２６２、および受信側カウント値保持部４６４ａ，４６４ｂに保持されたカウント値のうちの２つの値に基づいて、その差分を求める。差分取得部４６６ｂが、カウント値取得部２６３、および送信側カウント値保持部４６５ａ，４６５ｂに保持されたカウント値のうちの２つの値に基づいて、その差分を求める。そして、クロック周期補正量演算部４２２は、差分取得部４６６ａ，４６６ｂから供給された情報に基づいて、以下の式を用いてクロック周期補正量Ｒを求める。
Ｒ＝（Ｒdiff２−Ｒdiff１）／Ｒdiff２    ・・・（１）
ここで、Ｒdiff１は、差分取得部４６６ａの演算結果であり、受信側カウント値Ｃrecのタイミング差Ｄ１に対応するものである。Ｒdiff２は、差分取得部４６６ｂの演算結果であり、送信側カウント値Ｃtrのタイミング差Ｄ１に対応するものである。
【０２０４】
次に、シャッタ眼鏡４００は、基準カウント値Ｃntとサブカウント値Ｃsubとの差分量Ｄを計算する（ステップＳ２５）。具体的には、カウント値差分量演算部４２１が、受信側カウント値ラッチ回路２６２およびカウント値取得部２６３においてラッチされたカウント値に基づいて、以下の式を用いて差分量Ｄを求める。
Ｄ＝（Ｃrec３−Ｃtr３）−Ｃdiff    ・・・（２）
ここで、Ｃrec３は、受信側カウント値ラッチ回路２６２の出力値であり、最新の定期パケットＰに係る受信側カウント値Ｃrecである。Ｃtr３は、カウント値取得部２６３の出力値であり、最新の定期パケットＰに係る送信側カウント値Ｃtrである。Ｃdiffは、表示装置３００側においてカウント値ラッチ回路１６２によって基準カウント値Ｃntがラッチされた後、シャッタ眼鏡４００側において受信側カウント値ラッチ回路２６２によってサブカウント値Ｃsubがラッチされるまでの時間を、基準カウント値Ｃntを基準として示したものである。つまり、Ｃdiffは、パケット生成部３６５による定期パケットＰの生成、ＲＦ通信部１３４による送信、ＲＦ通信部１３４とＲＦ通信部２３４との間の通信、ＲＦ通信部２３４による受信などからなる遅延時間を表現したものである。
【０２０５】
次に、シャッタ眼鏡４００は、基準カウント値Ｃntに基づく送信タイミング計算を行う（ステップＳ２６）。具体的には、送信タイミング演算部４３１は、送信側カウント値Ｃtrおよび定期パケットＰの送信タイミング周期ＲＰに基づいて、表示装置３００が次回に定期パケットＰを送信するタイミングを、基準カウント値Ｃntを基準として求める。すなわち、送信タイミング演算部４３１は、カウント値取得部２６３が保持する最新の定期パケットＰの送信側カウント値Ｃtr、およびパケット送信間隔取得部４１３が保持する送信タイミング周期ＲＰを用いて、以下の式により次回の送信タイミングｔtrを求める。
ｔtr＝Ｃtr＋ＲＰ    ・・・（３）
そして、送信タイミング演算部４３１は、この定期パケットＰの次回の送信タイミングｔtrおよび定期パケットＰの送信タイミング周期ＲＰを、カウント値変換部４４１に対して供給する。
【０２０６】
次に、シャッタ眼鏡４００は、サブカウント値Ｃsubに基づく送信タイミングと間隔を計算する（ステップＳ２７）。具体的には、カウント値変換部４４１が、カウント値差分量演算部４２１から供給される差分量Ｄと、クロック周期補正量演算部４２２から供給されるクロック周期補正量Ｒを用いて、送信タイミング演算部４３１から供給される次回の送信タイミングと送信タイミング周期を、サブカウント値Ｃsubを基準としたものに変換する。
【０２０７】
基準カウント値Ｃntに基づくタイミングｔntの、サブカウント値Ｃsubに基づくタイミングｔsubへの変換は、一般に次式により行うことができる。
ｔsub＝ｔnt＋Ｄ＋（ｔnt−Ｃtr３）×Ｒ    ・・・（４）
ここで、Ｃtr３は、式２のものと同じであり、最新の定期パケットＰに係る送信側カウント値Ｃtrである。なお、右辺の第３項（（ｔnt−Ｃtr３）×Ｒ）は、演算誤差を低減するための補正項であり、要求される演算精度によっては省略することができる。
【０２０８】
また、基準カウント値Ｃntに基づく周期Ｔntの、サブカウント値Ｃsubに基づく周期Ｔsubへの変換は、次式により行うことができる。
Ｔsub＝Ｔnt×（１＋Ｒ）    ・・・（５）
【０２０９】
カウント値変換部４４１は、送信タイミング演算部４３１から供給された、次回の送信タイミングｔtrを、式４のタイミングｔntに代入することにより、サブカウント値Ｃsubに基づく次回の送信タイミングを求める。また、カウント値変換部４４１は、送信タイミング演算部４３１から供給された、送信タイミング周期ＲＰを、式５のＴntに代入することにより、サブカウント値Ｃsubに基づく送信タイミング周期を求める。そして、カウント値変換部４４１は、これらの演算結果を、送信タイミング用レジスタＲtrに格納する。
【０２１０】
次に、シャッタ眼鏡４００は、基準シンク信号乱れフラグが立っているかどうかを確認する（ステップＳ２８）。具体的には、基準シンク情報取得部４１１は、受信した定期パケットＰに含まれるフラグＳf１を調べ、フラグが立っているかどうかを確認する。フラグが立っていない場合には、ステップＳ３０に進む。フラグが立っている場合には、シャッタ眼鏡４００は、基準シンク信号Ｓyncが大きく乱れたため、過去に受信した定期パケットＰは今後のタイミング計算に用いることができないと判断し、最新の定期パケットＰ以外の情報を全て消去する（ステップＳ２９）。つまり、シャッタ眼鏡４００は、受信側カウント値保持部４６４ａ，４６４ｂ、送信側カウント値保持部４６５ａ，４６５ｂ、および基準シンク情報保持部４１２ａ，４１２ｂに保持された情報を全て消去する。その後、ステップＳ２（図１９）に戻り、連続受信モードでの動作を開始する。
【０２１１】
次に、シャッタ眼鏡４００は、動作モードが３Ｄモードか、マルチビューモードかを判断する（ステップＳ３０）。具体的には、シャッタ眼鏡４００は、上述した制御情報レジスタ（図示せず）に基づいて動作モードを確認する。動作モードが３ＤモードのときはステップＳ３１に進み、マルチビューモードのときは、このサブルーチンを終了する。
【０２１２】
次に、シャッタ眼鏡４００は、基準カウント値Ｃntに基づくシャッタタイミング計算を行う（ステップＳ３１）。具体的には、シャッタタイミング演算部４３２は、基準シンク情報Ａ２に基づいて、次回のシャッタ眼鏡４００の開閉タイミング（次回の左目用画像透過部の開動作タイミング、次回の左目用画像透過部の閉動作タイミング、次回の右目用画像透過部の開動作タイミング、および次回の右目用画像透過部の閉動作タイミング）を、基準カウント値Ｃntを基準として求める。また、シャッタタイミング演算部４３２は、この次回のシャッタの開閉タイミングとともに、シャッタ開閉周期も求める。これらの演算式については、ここでは詳述しないが、一般的な外挿演算により実施することができる。そして、シャッタタイミング演算部４３２は、これらの次回のシャッタの開閉タイミングおよびシャッタ開閉周期を、カウント値変換部４４２に対して供給する。
【０２１３】
次に、シャッタ眼鏡４００は、サブカウント値Ｃsubに基づくシャッタタイミングと間隔を計算する（ステップＳ３２）。具体的には、カウント値変換部４４２が、カウント値差分量演算部４２１から供給される差分量Ｄと、クロック周期補正量演算部４２２から供給されるクロック周期補正量Ｒを用いて、送信タイミング演算部４３１から供給される次回のシャッタタイミングとシャッタ開閉周期を、サブカウント値Ｃsubを基準としたものに変換する。
【０２１４】
カウント値変換部４４２は、シャッタタイミング演算部４３２から供給された、次回の開閉タイミング（次回の左目用画像透過部の開動作タイミング、次回の左目用画像透過部の閉動作タイミング、次回の右目用画像透過部の開動作タイミング、および次回の右目用画像透過部の閉動作タイミング）を、式４のタイミングｔntにそれぞれ代入することにより、サブカウント値Ｃsubに基づく次回の開閉タイミングを求める。また、カウント値変換部４４２は、シャッタタイミング演算部４３２から供給されたシャッタ開閉周期を、式５のＴntに代入することにより、サブカウント値Ｃsubに基づくシャッタ開閉周期を求める。そして、カウント値変換部４４２は、これらの演算結果を、シャッタタイミング用レジスタＲshに格納する。
【０２１５】
以上により、このサブルーチンは終了する。
【０２１６】
（タイマ割り込み処理）
次に、図１９に示したシャッタ眼鏡４００のフローにおけるタイマ割り込み処理（ステップＳ１２）のサブルーチンについて説明する。
【０２１７】
図２２は、タイマ割り込み処理の流れ図を表すものである。このフローでは、シャッタ眼鏡４００は、タイマ割り込みが発生したときに、定期パケットＰの受信に関する割り込みの場合には受信動作を行い、シャッタ制御に関する割り込みの場合にはシャッタを制御し、これらの処理が終了すると再びスリープ状態になる。以下に、フローの各ステップを詳細に説明する。
【０２１８】
まず、シャッタ眼鏡４００は、タイマ割り込みが発生すると、スリープを解除する（ステップＳ４１）。具体的には、電源制御部４４３が、サブカウント値Ｃsubが割り込み用レジスタＲｉの割り込みタイミングの値と一致すると、タイマ割り込み処理を開始し、シャッタ眼鏡４００のスリープを解除する。
【０２１９】
次に、シャッタ眼鏡４００は、次回のタイマ割り込みポイントをセットする（ステップＳ４２）。具体的には、電源制御部４４３が、送信タイミング用レジスタＲtrおよびシャッタタイミング用レジスタＲshに格納されている５つの次回タイミング情報、すなわち、次回の定期パケットＰの送信タイミングと、次回の左目用画像透過部の開動作タイミングと、次回の左目用画像透過部の閉動作タイミングと、次回の右目用画像透過部の開動作タイミングと、次回の右目用画像透過部の閉動作タイミングのうち、次にそのタイミングが訪れるものを選択して割り込み用レジスタＲｉに格納して更新する。その際、割り込み用レジスタＲｉの割り込み種類については、その更新前の情報を、後述するステップＳ４３の為に、一時的に別のレジスタに保持しておく。そして、電源制御部４４３は、その選択されたタイミング情報を更新して、送信タイミング用レジスタＲtrもしくはシャッタタイミング用レジスタＲshに格納する。具体的には、例えば、次回の送信タイミングが選択された場合には、その送信タイミングの値に送信タイミング用レジスタＲtrに格納された送信タイミング周期の値を足し合わせて、送信タイミング用レジスタＲtrに、次回の送信タイミングとして格納する。また、例えば、次回の左目用画像透過部の開動作タイミングが選択された場合には、そのタイミングの値にシャッタタイミング用レジスタＲshに格納されたシャッタ開閉周期の値を足し合わせて、シャッタタイミング用レジスタＲshに、次回の左目用画像透過部の開動作タイミングとして格納する。
【０２２０】
なお、次回のタイマ割り込みポイントをセットする際、５つの次回タイミング情報のうち、次にそのタイミングが訪れるもののタイミングが、残りの４つの次回タイミング情報のうちのいずれかと同じか、あるいは十分に近い場合には、開閉タイミングを優先することが望ましい。具体的には、次に定期パケットＰの送信タイミングが訪れる場合において、例えば、次回の左目用画像透過部の開動作タイミングが、この送信タイミングの値とほぼ同じであった場合には、次回の左目用画像透過部の開動作タイミングを割り込み用レジスタＲｉに格納するのが望ましい。すなわち、タイミングが近いために両方のタイマ割り込み処理が実行できない場合では、開閉タイミングを優先することにより、確実にシャッタの開閉動作を実施することができる。
【０２２１】
次に、シャッタ眼鏡４００は、タイマ割り込みが、定期パケットＰの受信に関するものか、シャッタ制御に関するものかを判断する（ステップＳ４３）。具体的には、シャッタ眼鏡４００は、ステップＳ４２において、一時的に保持した割り込み種類の情報に基づいて、この判断を行う。定期パケット受信の場合はステップＳ４４に進み、シャッタ制御の場合はステップＳ５１に進む。
【０２２２】
ステップＳ４３において、タイマ割り込みが定期パケット受信に関するものであった場合には、シャッタ眼鏡４００は、受信を開始する（ステップＳ４４）。
【０２２３】
次に、シャッタ眼鏡４００は、定期パケットＰを受信したかどうかを判断する（ステップＳ４５）。具体的には、ＲＦ通信部２３４は、定期パケットＰを受信したかどうかを判断する。定期パケットＰを受信した場合には、ステップＳ４８に進む。定期パケットＰを受信していない場合には、シャッタ眼鏡４００は、所定の時間と比較することによりタイムアウトかどうかを判断する（ステップＳ４６）。タイムアウトしていない場合には、再度ステップＳ４５に戻って、定期パケットＰを受信したかどうかを判断する。タイムアウトした場合には、シャッタ眼鏡４００は定期パケットＰの受信に失敗したと判断し、シャッタ眼鏡４００は、受信失敗回数が所定回数をオーバーしたかどうかを判定する（ステップＳ４７）。受信失敗回数が所定回数をオーバーしていない場合には、シャッタ眼鏡４００は受信を停止し（ステップＳ４８）、ステップＳ５５に進む。受信失敗回数が所定回数をオーバーした場合には、ステップＳ２（図１９）に戻り、連続受信モードでの動作を開始する。これらの動作は、図１７に示した動作に対応するものである。
【０２２４】
ステップＳ４５において定期パケットを受信すると、シャッタ眼鏡４００は受信を停止する（ステップＳ５０）。
【０２２５】
次に、シャッタ眼鏡４００は定期パケットＰを保存する（ステップＳ５１）。このステップの動作は、図１９に示したステップＳ６と同様である。
【０２２６】
次に、シャッタ眼鏡４００は定期パケット受信後処理を行う（ステップＳ５２）。このステップの動作は、図１９に示したステップＳ９と同様であり、シャッタ眼鏡４００は図２１に示したように動作する。
【０２２７】
ステップＳ４３において、タイマ割り込みがシャッタ制御に関するものであった場合には、シャッタ眼鏡４００は、シャッタ制御を行う（ステップＳ５３）。具体的には、シャッタ開閉制御部４４４が、割り込みレジスタＲｉの情報、およびカウンタ２６１から供給されるサブカウント値Ｃsubに基づいて、シャッタ眼鏡４００の右目用画像透過部２１２および左目用画像透過部２１４を制御するための右目用制御信号ＣＴＲＬＲおよび左目用制御信号ＣＴＲＬＬ（図４）を生成する。右目用画像透過部２１２および左目用画像透過部２１４は、これらの信号に基づいてシャッタの開閉動作を行う。
【０２２８】
次に、シャッタ眼鏡４００は、スリープ状態となる（ステップＳ１１）。このステップの動作は、図１９に示したステップＳ１１と同様である。
【０２２９】
以上により、このサブルーチンは終了する。
【０２３０】
［効果］
以上のように、本実施の形態では、表示装置３００の基準カウント値Ｃntとシャッタ眼鏡４００のサブカウント値Ｃsubとに基づいて、表示装置３００からの定期パケットＰの送信タイミングを求めるようにしたので、シャッタ眼鏡４００はその送信タイミングに合わせて受信タイムスロットを設定して受信可能状態とし、その他の期間を電力消費が殆どないスリープ状態とすることができ、シャッタ眼鏡４００の消費電力を大幅に低減させることができる。
【０２３１】
また、本実施の形態では、表示装置３００の基準カウント値Ｃntとシャッタ眼鏡４００のサブカウント値Ｃsubとに基づいて、シャッタ眼鏡４００におけるシャッタの開閉タイミングを求めるようにしたので、表示装置３００からシャッタの開閉タイミングに合わせて逐一タイミング信号のようなものを送信しなくても、シャッタ眼鏡４００は自走によりシャッタの開閉動作を行うことができる。
【０２３２】
また、本実施の形態では、表示装置３００はシャッタ眼鏡４００に対して定期パケットＰを定期的にブロードキャスト送信するようにしたので、表示装置３００と各シャッタ眼鏡４００との間で別々に情報のやりとりを行う必要がないため、シンプルな送受信を実現することができる。例えば、映画館において複数のシャッタ眼鏡４００を用いる場合には、多くのシャッタ眼鏡４００を同時に使用することができる。
【０２３３】
また、本実施の形態では、シャッタ眼鏡４００は、２つ以上の定期パケットＰを保持する際、所定の回数ごとに保持するようにしたので、クロック周期補正量Ｒの演算精度が向上するため、次回の開閉タイミングや、次回の定期パケットＰの送信タイミングを演算する際の演算精度を高めることができる。
【０２３４】
また、本実施の形態では、シャッタ眼鏡４００は、定期パケットＰを正常に受信できなかった場合のためのリカバーシーケンスを持つようにしたので、なんらかの事情により表示装置３００との通信ができなくなった場合でも、その通信を復旧し、あるいは必要に応じて電源をオフ状態とすることにより不要な消費電力を抑えることができる。
【０２３５】
［変形例］
上記実施の形態では、カウント値変換部４４１，４４２を設け、送信タイミングおよびシャッタタイミングの時間の基準を基準カウント値Ｃntからサブカウント値Ｃsubへ変換し、この変換された送信タイミングおよびシャッタタイミングを、それぞれ送信タイミング用レジスタＲtrおよびシャッタタイミング用レジスタＲshに格納するようにしたが、これに限定されるものではなく、これに代えて、例えば、図２３に示したように、カウント値変換部４４１，４４２を設けない構成にしてもよい。図２３に示したシャッタ眼鏡のシャッタ制御部４１０では、送信タイミング演算部４３１Ｂは、基準カウント値Ｃntを基準として求めた送信タイミングをそのまま送信タイミング用レジスタＲtrに格納し、シャッタタイミング演算部４３２Ｂは、基準カウント値Ｃntを基準として求めたシャッタタイミングをそのままシャッタタイミング用レジスタＲshに格納する。電源制御部４４３Ｂは、次回のタイマ割り込みポイントをセットする際、５つの次回タイミング情報のうち、次にそのタイミングが訪れるものを選択し、その選択されたタイミング情報の時間の基準を基準カウント値Ｃntからサブカウント値Ｃsubへ変換して、割り込みタイミングとして格納する。つまり、送信タイミング用レジスタＲtrおよびシャッタタイミング用レジスタＲshは、基準カウント値Ｃntを基準としたものであり、一方、割り込み用レジスタＲiは、サブカウント値Ｃsubを基準としたものとなる。この場合、基準カウント値Ｃntを基準とした値から次回のタイミングを演算するため、サブカウント値Ｃsubを基準として演算する場合に比べ、元の値に近い分演算誤差を小さくすることができ、タイミング動作の精度を向上できる。
【０２３６】
［その他の変形例］
上記実施の形態では、表示装置３００は、リアルタイム同期情報Ａ１と、基準シンク情報Ａ２と、制御情報Ｂとを同時に定期パケットＰとして送信するようにしたが、これに限定されるものではなく、例えば、基準シンク信号Ａ２および制御情報Ｂを定期パケットＰとして送信し、リアルタイム同期情報Ａ１を、さらに長い周期で送信するようにしてもよい。
【０２３７】
上記実施の形態では、表示装置３００は、リアルタイム同期情報Ａ１には有効な値を毎回設定するようにしたが、これに限定されるものではなく、例えば、数回に一回の頻度で有効な値を設定するようにしてもよい。この場合、シャッタ眼鏡４００では、前回に入手した定期パケットＰに含まれるＲＣ，ＲＰの情報に基づいて、その定期パケットＰの基準カウント値Ｃntを簡単な演算で求め、その値を送信側カウント値Ｃtrとしてカウント値取得部２６３や送信側カウント値保持部４６５ａ，４６５ｂに保持することにより、上記実施の形態と同様の動作を行うことができる。
【０２３８】
以上、いくつかの実施の形態および変形例を挙げて本発明を説明したが、本発明はこれらの実施の形態等には限定されず、種々の変形が可能である。
【０２３９】
例えば、上記各実施の形態等では、左目用制御信号ＣＴＲＬＬは、基準シンク信号Ｓyncと同じタイミングで生成したが、これに限定されるものではなく、例えば、図２４に示したように、基準シンク信号Ｓyncに対して少しタイミングをずらして生成してもよい。図２４において、開動作オフセットＯopは、基準シンク信号Ｓyncの立ち上がりと左目用制御信号ＣＴＲＬＬの立ち上がりとのタイミング差を示すものであり、閉動作オフセットＯclは、基準シンク信号Ｓyncの立ち下がりと左目用制御信号ＣＴＲＬＬの立ち下がりとのタイミング差を示すものである。この開動作オフセットＯopおよび閉動作オフセットＯclは、第１の実施の形態に係る映像表示システム１０では、例えば、表示装置１００からパラメータ通知によりシャッタ眼鏡２００に通知可能である。また、第２の実施の形態に係る映像表示システム２０では、これらは、例えば、表示装置３００から送信される定期パケットＰの制御情報Ｂを用いて、シャッタ眼鏡４００に通知可能である。
【０２４０】
また、例えば、上記の各実施の形態等では、基準シンク信号Ｓyncは、左目用制御信号ＣＴＲＬＬと同様の波形としたが、これに限定されるものではなく、これに代えて、例えば、図２５に示したように、左目用制御信号ＣＴＲＬＬの立ち上がりのみを指示するようにしてもよい。図２５において、開動作オフセットＯopは、基準シンク信号Ｓyncの立ち上がりと左目用制御信号ＣＴＲＬＬの立ち上がりとのタイミング差を示すものであり、開放時間Ｔopは、左目用制御信号ＣＴＲＬＬが高レベルとなる時間を示すものである。この開動作オフセットＯopおよび開放時間Ｔopは、第１の実施の形態に係る映像表示システム１０では、例えば、表示装置１００からパラメータ通知によりシャッタ眼鏡２００に通知可能である。また、第２の実施の形態に係る映像表示システム２０では、これらは、例えば、表示装置３００から送信される定期パケットＰの制御情報Ｂを用いて、シャッタ眼鏡４００に通知可能である。
【０２４１】
また、例えば、上記の各実施の形態等では、既存の無線通信による（例えばＩＥＥＥ８０２．１５．４を用いた）リモートコントローラとの共存も可能である。リモートコントローラの通信とシャッタ眼鏡の通信とで同一の規格を用いれば、表示装置を大きくコストアップすること無く、表示装置に立体視機能を追加することが可能となる。
【０２４２】
また、例えば、上記の各実施の形態等では、映像表示システムは、立体的な映像を表示するものとしたが、これに代えて、例えば、複数の観察者に異なる映像を表示する、いわゆるマルチビュー表示を実行する表示装置にも適用可能である。以下に、２人の観察者を対象としたマルチビュー表示を行う際の映像表示システムの動作を説明する。
【０２４３】
図２６は、マルチビュー表示の動作を模式的に表すものであり、（Ａ）は観察者９Ａのための画像Ａを表示したときの動作を示し、（Ｂ）は観察者９Ｂのための画像Ｂを表示したときの動作を示す。表示装置１は、第１の実施の形態に係る表示装置１００や、第２の実施の形態に係る表示装置３００に対応するものである。シャッタ眼鏡２Ａ，２Ｂは、第１の実施の形態に係るシャッタ眼鏡２００や、第２の実施の形態に係るシャッタ眼鏡４００に対応するものである。制御信号ＣＴＬは、表示装置１からシャッタ眼鏡２Ａ，２Ｂに対して、シャッタの開閉動作などを指示する信号であり、第１の実施の形態に係るパケットや、第２の実施の形態に係る定期パケットＰに対応するものである。表示装置１が画像Ａを表示している場合、図２６（Ａ）に示したように、シャッタ眼鏡２Ａの右目用画像透過部２１２Ａおよび左目用画像透過部２１４Ａが透過状態（シャッタ開状態）になるとともに、シャッタ眼鏡２Ｂの右目用画像透過部２１２Ｂおよび左目用画像透過部２１４Ｂが遮断状態（シャッタ閉状態）になる。このとき、観察者９Ａが画像Ａを見ることとなる。一方、表示装置１が画像Ｂを表示している場合、図２６（Ｂ）に示したように、シャッタ眼鏡２Ａの右目用画像透過部２１２Ａおよび左目用画像透過部２１４Ａが遮断状態（シャッタ閉状態）になるとともに、シャッタ眼鏡２Ｂの右目用画像透過部２１２Ｂおよび左目用画像透過部２１４Ｂが透過状態（シャッタ開状態）になる。このとき、観察者９Ｂが画像Ｂを見ることとなる。これらの動作を交互に繰り返すことにより、画像Ａからなる映像を観察者９Ａが見るとともに、画像Ｂからなる映像を観察者９Ｂが見ることができ、１つの表示装置に表示される複数の映像のそれぞれを複数の観察者が見ることができる、マルチビューシステムを実現することができる。
【０２４４】
また、例えば、上記の各実施の形態等では、表示装置は液晶表示装置を用いるようにしたが、これに限定されるものではなく、これに代えて、例えばＥＬ（Electro-Luminescence）ディスプレイや、プラズマディスプレイ、電界放出ディスプレイ（ＦＥＤ；Field Emission Display）等を用いるようにしてもよい。
【０２４５】
また、例えば、上記の各実施の形態等において説明した一連の処理は、ハードウェアによって実行してもよく、ソフトウェアによって実行してもよい。ソフトウェアによって実行する場合には、例えばプログラムが格納された記録媒体を表示装置やシャッタ眼鏡に内蔵してもよい。そして、かかるプログラムを、表示装置やシャッタ眼鏡に内蔵したＣＰＵ（Central Processing Unit）、ＤＳＰ（Digital Signal Processor）その他の制御装置が読み出して順次実行するようにしてもよい。
【符号の説明】
【０２４６】
１０，２０…映像表示システム、１，１００，３００…表示装置、１１０…画像表示部、１１２…表示パネル、１１３…ゲートドライバ、１１４…データドライバ、１１５…バックライト、１２０…映像信号制御部、１３０，３１０…シャッタ制御部（表示装置側）、１３１…発振回路（表示装置側）、１３２、１６１…カウンタ（表示装置側）、１３３…垂直同期ラッチ回路、１３４…ＲＦ通信部（表示装置側）、１４０…タイミング制御部、１５５…バックライト制御部、１６２…カウント値ラッチ回路、１６３…タイミング発生間隔制御部、１６４…送信タイミング発生部、１６５，３６５…パケット生成部、２００，４００…シャッタ眼鏡、２１０，４１０…シャッタ制御部（シャッタ眼鏡側）、２１２，２１２Ａ，２１２Ｂ…右目用画像透過部、２１４，２１４Ａ，２１４Ｂ…左目用画像透過部、２３１…発振回路（シャッタ眼鏡側）、２３２、２６１…カウンタ（シャッタ眼鏡側）、２３３…シャッタ切替値保持部、２３４…ＲＦ通信部（シャッタ眼鏡側）、２３５…比較部、２３６…シャッタ開閉制御部、２６２…受信側カウント値ラッチ回路、２６３…カウント値取得部、２６４ａ，２６４ｂ，４６４ａ，４６４ｂ…受信側カウント値保持部、２６５ａ，２６５ｂ，４６５ａ，４６５ｂ…送信側カウント値保持部、２６６ａ，２６６ｂ，４６６ａ，４６６ｂ…差分取得部、２６７…クロック周波数制御部、４１１…基準シンク情報取得部、４１２ａ，４１２ｂ…基準シンク情報保持部、４１３…パケット送信間隔取得部、４２１…カウント値差分量演算部、４２２…クロック周期補正量演算部、４３１…送信タイミング演算部、４３２…シャッタタイミング演算部、４４１，４４２…カウント値変換部、４４３…電源制御部、４４４…シャッタ開閉制御部、Ａ…同期情報、Ａ１…リアルタイム同期情報、Ａ２…基準シンク情報、Ｂ…制御情報、Ｃlk…基準クロック、Ｃnt…基準カウント値、Ｃrec…受信側カウント値、Ｃsub…サブカウント値、Ｃtr…送信側カウント値、ＣＴＲＬＬ…左目用制御信号、ＣＴＲＬＲ…右目用制御信号、Ｄ…差分量、Ｏcl…閉動作オフセット、Ｏop…開動作オフセット、Ｐ…定期パケット、Ｒ…クロック周期補正量、Ｒi…割り込みレジスタ、Ｒsh…シャッタタイミング用レジスタ、Ｒtr…送信タイミング用レジスタ、ＳubＣlk…サブクロック、Ｓync…基準シンク信号、Ｔop…開放期間。
【図１】
2011139414.tif 000003
【図２】
2011139414.tif 000004
【図３】
2011139414.tif 000005
【図４】
2011139414.tif 000006
【図５】
2011139414.tif 000007
【図６】
2011139414.tif 000008
【図７】
2011139414.tif 000009
【図８】
2011139414.tif 000010
【図９】
2011139414.tif 000011
【図１０】
2011139414.tif 000012
【図１１】
2011139414.tif 000013
【図１２】
2011139414.tif 000014
【図１３】
2011139414.tif 000015
【図１４】
2011139414.tif 000016
【図１５】
2011139414.tif 000017
【図１６】
2011139414.tif 000018
【図１７】
2011139414.tif 000019
【図１８】
2011139414.tif 000020
【図１９】
2011139414.tif 000021
【図２０】
2011139414.tif 000022
【図２１】
2011139414.tif 000023
【図２２】
2011139414.tif 000024
【図２３】
2011139414.tif 000025
【図２４】
2011139414.tif 000026
【図２５】
2011139414.tif 000027
【図２６】
2011139414.tif 000028